(57)【要約】液圧ブレーキシステムの改良を図る。制御系の異常時に、ブレーキペダル６０の踏込み操作が行われた場合には、ポンプモータ５５が作動させられる。ポンプモータ５５の吐出圧が、リリーフ弁１４６を経て第２マスタ通路７０ｂに供給され、左前輪２のブレーキシリンダ４２ＦＬに供給されるとともにマスタシリンダ６２の第２加圧室６９ｂに供給される。それにより、第１加圧室６９ａの液圧が増圧させられ、右前輪４のブレーキシリンダ４２ＦＲに供給される。左右前輪２，４のブレーキシリンダ４２ＦＬ，ＦＲの液圧を増圧させることができ、制御系が異常であっても、車両全体の制動力不足を抑制することができる。
2011108090.tif 000002
【特許請求の範囲】
【請求項１】
運転者のブレーキ操作部材の操作により液圧を発生させるマニュアル式液圧源を備えた第１液圧発生装置と、
駆動源への電気エネルギの供給により作動させられ、液圧を発生させる動力式液圧源を備えた第２液圧発生装置と、
車両の複数の車輪の各々に対応して設けられ、それぞれ、ブレーキシリンダの液圧により作動させられ、その車輪の回転を抑制する複数の液圧ブレーキと、
(i)前記マニュアル式液圧源と前記複数の液圧ブレーキのうちの少なくとも１つの前記ブレーキシリンダとに連通可能な連通装置と、(ii)前記第１液圧発生装置と、(iii)前記少なくとも１つのブレーキシリンダとを含むマニュアル関連ブレーキ系統と、
前記マニュアル関連ブレーキ系統と前記第２液圧発生装置との間に、互いに並列に設けられ、(i)前記第２液圧発生装置の出力液圧を制御可能な出力液圧制御装置と、(ii)前記第２液圧発生装置から前記マニュアル関連ブレーキ系統への作動液の流れを抑制する流れ抑制装置と
を含むことを特徴とする液圧ブレーキシステム。
【請求項２】
当該液圧ブレーキシステムが、当該液圧ブレーキシステムが前記出力液圧制御装置によって前記第２液圧発生装置の出力液圧を制御できない状態である場合に、前記動力式液圧源を制御する動力式液圧源制御装置を含む請求項１に記載の液圧ブレーキシステム。
【請求項３】
前記連通装置が、前記マニュアル式液圧源と前記少なくとも１つのブレーキシリンダとを接続するマニュアル通路を含み、
前記流れ抑制装置が、前記第２液圧発生装置と前記マニュアル通路との間に設けられた請求項１または２に記載の液圧ブレーキシステム。
【請求項４】
当該液圧ブレーキシステムが、前記マニュアル通路に設けられ、少なくとも開状態と閉状態とに切換え可能なマニュアル遮断弁を含み、
前記流れ抑制装置が、前記第２液圧発生装置と前記マニュアル通路の前記マニュアル遮断弁より前記ブレーキシリンダ側の部分との間に設けられた請求項３に記載の液圧ブレーキシステム。
【請求項５】
前記連通装置が、(i)前記少なくとも１つのブレーキシリンダが、それぞれ、個別通路を介して接続された共通通路と、(ii)前記少なくとも１つの個別通路のうちの１つと、(iii)その１つの個別通路と前記マニュアル式液圧源とを接続する個別接続通路とを含み、
前記流れ抑制装置が、前記第２液圧発生装置と前記共通通路との間に設けられた請求項１または２に記載の液圧ブレーキシステム。
【請求項６】
前記１つの個別通路に、その個別通路に接続された前記ブレーキシリンダの液圧を制御可能な個別制御弁が設けられ、前記個別接続通路が、前記１つの個別通路の、前記個別制御弁より前記ブレーキシリンダ側の部分に接続された請求項５に記載の液圧ブレーキシステム。
【請求項７】
前記連通装置が、(i)前記少なくとも１つのブレーキシリンダが、それぞれ、個別通路を介して接続された共通通路と、(ii)前記少なくとも１つの個別通路のうちの１つと、(iii)その１つの個別通路と前記マニュアル式液圧源とを接続する個別接続通路とを含み、
前記出力液圧制御装置が、前記第２液圧発生装置と前記共通通路との間に設けられた請求項１ないし６のいずれか１つに記載の液圧ブレーキシステム。
【請求項８】
前記出力液圧制御装置が、ソレノイドへの供給電流の大きさの制御により、前後の差圧を制御可能なリニア制御弁を含む請求項１ないし７のいずれか１つに記載の液圧ブレーキシステム。
【請求項９】
前記流れ抑制装置が、前記第２液圧発生装置の液圧が前記マニュアル関連ブレーキ系統の液圧より設定圧以上大きくなると、前記第２液圧発生装置から前記マニュアル関連ブレーキ系統への作動液の流れを許容するリリーフ弁を含む請求項１ないし８のいずれか１つに記載の液圧ブレーキシステム。
【請求項１０】
前記流れ抑制装置が、ソレノイドへの電流の供給制御により、少なくとも、開状態と閉状態とに切り換え可能であって、前記ソレノイドに電流が供給されない場合に閉状態にある常閉の電磁開閉弁を含む請求項１ないし９のいずれか１つに記載の液圧ブレーキシステム。
【請求項１１】
前記動力式液圧源が、(i)電気エネルギにより作動可能な駆動源と、(ii)その駆動源により作動させられ、作動液を供給する作動液供給部とを含み、前記第２液圧発生装置が、前記作動液供給部から供給された作動液を加圧した状態で蓄えるアキュムレータを含む請求項１ないし１０のいずれか１つに記載の液圧ブレーキシステム。
【請求項１２】
当該液圧ブレーキシステムが、前記複数の車輪のうちの左右前輪に対応して設けられた前記液圧ブレーキの前記ブレーキシリンダが、それぞれ、前輪用個別通路を介して接続された前輪用共通通路を含み、
前記マニュアル式液圧源が、２つの加圧ピストンを備え、前記ブレーキ操作部材の操作により２つの加圧室にそれぞれ液圧を発生させるタンデム式のマスタシリンダの加圧室の各々とされ、それら加圧室の各々が前記前輪用個別通路の各々に、それぞれ、前輪用個別接続通路を介して接続され、
前記連通装置が、(i)前記前輪用共通通路と、(ii)前記２つの前輪用個別通路のいずれか一方と、(iii)その一方の前輪用個別通路に接続された前記２つの前輪用個別接続通路の一方とを含む請求項１ないし１１のいずれか１つに記載の液圧ブレーキシステム。
【請求項１３】
当該液圧ブレーキシステムが、(i)前記一方の前輪用個別通路に設けられ、ソレノイドへの電流の供給制御により開状態と閉状態とに切り換え可能であって、ソレノイドに電流が供給されない場合に開状態にある常開の電磁開閉弁である前輪用個別制御弁と、(ii)前記２つの前輪用個別通路の他方に設けられ、ソレノイドへの電流の供給制御により開状態と閉状態とに切り換え可能であって、ソレノイドに電流が供給されない場合に閉状態にある常閉の電磁開閉弁である前輪用個別制御弁とを含み、
前記一方の前輪用個別接続通路が、前記一方の前輪用個別通路の前記常開の前輪用個別制御弁より下流側の部分に接続され、前記他方の前輪用個別接続通路が、前記他方の前輪用個別通路の前記常閉の前輪用個別制御弁より下流側の部分に接続された請求項１２に記載の液圧ブレーキシステム。
【請求項１４】
当該液圧ブレーキシステムが、前記２つの前輪用個別接続通路の各々に設けられ、ソレノイドに電流が供給されない場合に開状態にある常開の電磁開閉弁であるマニュアル遮断弁を含む請求項１３に記載の液圧ブレーキシステム。
【請求項１５】
前記２つの加圧室の他方に、前記２つの加圧ピストンの移動を規制する移動規制部が設けられた請求項１２ないし１４のいずれか１つに記載の液圧ブレーキシステム。
【請求項１６】
運転者のブレーキ操作部材の操作により液圧を発生させるマニュアル式液圧源と、
(a)電気エネルギの供給により作動させられ、液圧を発生させる動力式液圧源と、(b)その動力式液圧源から供給された作動液を加圧した状態で蓄えるアキュムレータとを含む蓄圧機能付き動力式液圧発生装置と、
車両の複数の車輪の各々に対応して設けられ、それぞれ、前記マニュアル式液圧源の液圧がブレーキシリンダに供給されることにより作動させられ、その車輪の回転を抑制する複数の液圧ブレーキと、
前記マニュアル式液圧源と前記蓄圧機能付き動力式液圧発生装置との間に設けられ、前記蓄圧機能付き動力式液圧発生装置の液圧が前記マニュアル式液圧源の液圧より設定圧以上大きい場合に、前記蓄圧機能付き動力式液圧発生装置から前記マニュアル式液圧源への作動液の流れを許容するリリーフ弁と
を含むことを特徴とする液圧ブレーキシステム。
【請求項１７】
運転者のブレーキ操作部材の操作により液圧を発生させるマニュアル式液圧源と、
電気エネルギの供給により作動させられ、液圧を発生させる動力式液圧源を備えた動力式液圧発生装置と、
車両の複数の車輪の各々に対応して設けられ、それぞれ、ブレーキシリンダの液圧により作動させられ、その車輪の回転を抑制する複数の液圧ブレーキと
を含む液圧ブレーキシステムであって、
前記動力式液圧発生装置と前記マニュアル式液圧源との間に設けられ、前記動力式液圧発生装置の液圧が前記マニュアル式液圧源の液圧より設定圧以上大きい場合に、前記動力式液圧源から前記マニュアル式液圧源への作動液の流れを許容するリリーフ弁と、
当該液圧ブレーキシステムが正常である場合に、前記動力式液圧発生装置の出力液圧を制御して前記複数のブレーキシリンダに、前記リリーフ弁をバイパスして供給する正常時液圧供給部と、
当該液圧ブレーキシステムの制御系の異常時に、前記動力式液圧源を作動させて、前記動力式液圧発生装置の出力液圧を、前記リリーフ弁を経て、前記マニュアル式液圧源に供給する異常時液圧供給部と
を含むことを特徴とする液圧ブレーキシステム。
【発明の詳細な説明】
【技術分野】
【０００１】
本発明は、車輪の回転を抑制する液圧ブレーキを備えた液圧ブレーキシステムに関するものである。
【背景技術】
【０００２】
特許文献１に記載の液圧ブレーキシステムにおいては、(a)マスタシリンダ、(b)ポンプ装置とアキュムレータとを含む動力式液圧発生装置、(c)複数のブレーキシリンダ、(d)これらが接続された共通通路とが設けられるとともに、動力式液圧発生装置と共通通路との間に出力液圧制御弁が設けられる。液圧ブレーキシステムが正常である場合には、出力液圧制御弁の制御により、動力式液圧発生装置の出力液圧が制御されて、共通通路に供給されて、複数のブレーキシリンダに供給される。液圧ブレーキシステムの電気系統が異常の場合には、動力式液圧発生装置が共通通路から遮断されて、マスタシリンダの液圧が共通通路を経て複数のブレーキシリンダに供給される。
特許文献２には、動力式液圧発生装置を備えた液圧ブレーキシステムが記載されている。動力式液圧発生装置は、バルブ機構１３，シャトル弁１７，１８を介してマスタシリンダとブレーキシリンダとを接続する液通路に接続される。シャトル弁１７，１８によりバルブ機構１３の液圧とマスタシリンダの液圧との高い方が選択されて、ブレーキシリンダに供給される。
特許文献３に記載の液圧ブレーキシステムにおいては、動力式液圧発生装置とブレーキシリンダとを接続する液通路の途中に個別制御弁が設けられ、液通路の個別制御弁より下流側にマスタシリンダが接続される。当該液圧ブレーキシステムが正常である場合には、ブレーキシリンダがマスタシリンダから遮断された状態で、個別制御弁の制御により動力式液圧発生装置の液圧を利用してブレーキシリンダの液圧が制御される。当該液圧ブレーキシステムの電気系統が異常である場合には、マスタシリンダの液圧が供給される。
特許文献４に記載の液圧ブレーキシステムにおいては、バキュームブースタの助勢限界後に、ポンプ装置の出力液圧が制御され、マスタシリンダの加圧ピストンの後方液圧室に供給される。それによって、バキュームブースタの助勢限界後に、助勢限界前後で、ブレーキシリンダの液圧のブレーキ操作力に対する比率が同じになる状態で、ブレーキシリンダの液圧を増圧させることができる。この液圧ブレーキシステムにおいて、マスタシリンダとブレーキシリンダとを接続する主通路と、ポンプ装置との間にリリーフ弁が設けられ、ポンプの吐出圧が過大になると、ポンプから主通路に吐出圧が供給される。
【先行技術文献】
【特許文献】
【０００３】
【特許文献１】特開２００６−１２３８８９
【特許文献２】特表２００９−５０２６４５
【特許文献３】特開平１０−２８７２２７
【特許文献４】特開２００１−２８７６３７
【発明の開示】
【発明が解決しようとする課題】
【０００４】
本発明の課題は、液圧ブレーキシステムの改良を図ることである。
【課題を解決するための手段および効果】
【０００５】
請求項１に記載の液圧ブレーキシステムは、(A)運転者のブレーキ操作部材の操作により液圧を発生させるマニュアル式液圧源を備えた第１液圧発生装置と、(B)電気エネルギの供給により作動させられ、液圧を発生させる動力式液圧源を備えた第２液圧発生装置と、(C)車両の複数の車輪の各々に対応して設けられ、それぞれ、ブレーキシリンダの液圧により作動させられ、その車輪の回転を抑制する複数の液圧ブレーキと、(D)(i)前記マニュアル式液圧源と前記複数の液圧ブレーキのうちの少なくとも１つの前記ブレーキシリンダとの両方に連通可能な連通装置と、(ii)前記第１液圧発生装置と、(iii)前記少なくとも１つのブレーキシリンダとを含むマニュアル関連ブレーキ系統と、(E)前記マニュアル関連ブレーキ系統と前記第２液圧発生装置との間に、互いに並列に設けられ、(i)前記第２液圧発生装置の出力液圧を制御可能な出力液圧制御装置と、(ii)前記第２液圧発生装置から前記マニュアル関連ブレーキ系統への作動液の流れを抑制する流れ抑制装置とを含むものとされる。
本発明に係る液圧ブレーキシステムにおいては、マニュアル関連ブレーキ系統と第２液圧発生装置との間に、出力液圧制御装置と流れ抑制装置とが互いに並列に設けられる。
例えば、当該液圧ブレーキシステムが正常である場合に、第２液圧発生装置の出力液圧が出力液圧制御装置によって制御されてマニュアル関連ブレーキ系統に供給され、ブレーキシリンダに供給されて、液圧ブレーキが作動させられる。ブレーキシリンダの液圧が要求液圧に近づくように出力液圧制御装置の制御によって制御される。
当該液圧ブレーキシステムの制御系が異常である場合に、第２液圧発生装置の液圧が流れ抑制装置を経てマニュアル関連ブレーキ系統に供給される。マニュアル式液圧源に供給されると、ブレーキ操作部材に加えられる操作力が同じ場合の液圧を大きくすることができ、ブレーキシリンダの液圧を大きくすることができる。また、その場合に、第２液圧発生装置の液圧が流れ抑制装置を経てマニュアル関連ブレーキ系統に供給されるため、マニュアル関連ブレーキ系統に、(i)過大な液圧の作動液が供給されること(ii)大流量の作動液が供給されることとの少なくとも一方を回避し、マニュアル式液圧源に、(i)過大な液圧が供給されることと(ii)大流量で作動液が供給されることとの少なくとも一方を回避することができる。
また、出力液圧制御装置が、第２液圧発生装置とマニュアル関連ブレーキ系統との間に設けられ、流れ抑制装置が、第２液圧発生装置とマニュアル関連ブレーキ系統のうちの｛連通装置と、少なくとも１つのブレーキシリンダと、マニュアル式液圧源とを含む部分、すなわち、マニュアル関連ブレーキ系統から第１液圧発生装置のマニュアル式液圧源以外の部分を除いた部分｝との間に設けられるようにすることができる。
特許文献１〜４のいずれにも、マニュアル関連ブレーキ系統と第２液圧発生装置との間に、出力液圧制御装置と流れ抑制装置とが互いに並列に設けられた液圧ブレーキシステムは記載されていない。
【特許請求可能な発明】
【０００６】
以下に、本願において特許請求が可能と認識されている発明（以下、「請求可能発明」という場合がある。請求可能発明は、少なくとも、請求の範囲に記載された発明である「本発明」ないし「本願発明」を含むが、本願発明の下位概念発明や、本願発明の上位概念あるいは別概念の発明を含むこともある。）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組を、以下の各項に記載されたものに限定する趣旨ではない。つまり、請求可能発明は、各項に付随する記載，実施例の記載等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。
【０００７】
(１)運転者のブレーキ操作部材の操作により液圧を発生させるマニュアル式液圧源を備えた第１液圧発生装置と、
電気エネルギの供給により作動させられ、液圧を発生させる動力式液圧源を備えた第２液圧発生装置と、
車両の複数の車輪の各々に対応して設けられ、それぞれ、複数のブレーキシリンダ各々の液圧により作動させられ、その車輪の回転を抑制する複数の液圧ブレーキと、
(i)前記マニュアル式液圧源と前記複数の液圧ブレーキのうちの少なくとも１つの前記ブレーキシリンダとに連通可能な連通装置と、(ii)前記第１液圧発生装置と、(iii)前記少なくとも１つのブレーキシリンダとを含むマニュアル関連ブレーキ系統と、
前記マニュアル関連ブレーキ系統と前記第２液圧発生装置との間に、互いに並列に設けられ、(i)前記第２液圧発生装置の出力液圧を制御可能な出力液圧制御装置と、(ii)前記第２液圧発生装置から前記マニュアル関連ブレーキ系統への作動液の流れを抑制する流れ抑制装置と
を含むことを特徴とする液圧ブレーキシステム。
第１液圧発生装置は、(x)マニュアル式液圧源を含むものであり、例えば、マスタシリンダとすることができる。(y)また、マニュアル式液圧源と、マニュアル式液圧源の液圧を制御可能な制御機構とを含むものとすることができ、その制御機構が第２液圧発生装置の液圧により作動させられるようにすることができる。例えば、(y-1)液圧ブースタ付きマスタシリンダとしたり、(y-2)ブレーキ操作部材に加えられる操作力に応じた液圧を発生させる状態と、ブレーキ操作部材に加えられる操作力とは関係がない大きさの液圧を発生させる状態とをとり得るものとしたりすること等ができる。後者(y-2)の例として、例えば、第１液圧発生装置は、加圧ピストンを含み、(a)その加圧ピストンがブレーキ操作部材の操作により前進させられる状態と、(b)ブレーキ操作部材の操作によらず、第２液圧発生装置の液圧により前進させられる状態とをとり得るものとすることができる。加圧ピストンの前方の前方加圧室には、加圧ピストンがブレーキ操作部材の操作によって前進させられる状態において、操作力によって液圧を発生させるため、マニュアル式液圧源に対応すると考えることができる。第２液圧発生装置は、それの液圧が、加圧ピストンの後方に作用する状態で接続されるようにすることができる。
なお、第１液圧発生装置は、液圧を発生させ得るものであるため、リザーバは含まないものとする。
第２液圧発生装置は、電気エネルギの供給により作動させられる駆動源と、その駆動源により作動可能な作動液供給部とを備えた動力式液圧源を含む。第２液圧発生装置は、動力式液圧源と、作動液供給部から供給された作動液を加圧した状態で蓄えるアキュムレータとを含むものとすることができる。
出力液圧制御装置は、例えば、第２液圧発生装置の出力液圧を制御可能な１つ以上の電磁開閉弁を含むものとすることができる。電磁開閉弁は、ソレノイドのコイルへの供給電流（以下、単に、ソレノイドへの供給電流と略称する）の制御により、少なくとも開状態と閉状態とに制御可能なバルブであり、ソレノイドへの供給電流の連続的な制御により、前後の差圧（または／および）開度を連続的に制御可能なリニア制御弁であっても、ソレノイドへの供給電流のＯＮ・ＯＦＦ制御により、開状態と閉状態とに切り換え可能な単なる電磁開閉弁であってもよい。以下、本明細書において、特に限定しない限り、電磁開閉弁と記載した場合、リニア制御弁であっても、単なる開閉弁であってもよいものとする。
流れ抑制装置は、第２液圧発生装置とマニュアル関連ブレーキ系統との間の、自由な、双方向の流れに制限を加えるものであり、これらの間の作動液の流れを、常に、阻止するものではない。例えば、当該流れ抑制装置が設けられない場合に比較して、流量を抑制したり、減圧して供給したりするものである。具体的には、(a)第２液圧発生装置の液圧を減圧してマニュアル関連ブレーキ系統に供給する機能を備えた減圧装置と、(b)マニュアル関連ブレーキ系統に第２液圧発生装置の液圧が必要な場合にマニュアル関連ブレーキ系統への作動液の流れを許容し、不要な場合にマニュアル関連ブレーキ系統への作動液の流れ、あるいは、双方向の流れを阻止する流れ許容・阻止装置と、(c)流路抵抗を大きくする絞り等の流路抵抗装置等とのうちの１つ以上を含むものとすることができる。
マニュアル関連ブレーキ系統は、第１液圧発生装置と、連通装置と、少なくとも１つのブレーキシリンダとを含むものであり、連通装置は、マニュアル液圧源と少なくとも１つのブレーキシリンダとの両方に連通可能なものであり、例えば、液通路等を含む。連通装置は、マニュアル液圧源と少なくとも１つのブレーキシリンダとを接続する主通路（マスタ通路）を含むものとしたり、主通路とそれに接続された液通路、装置等とを含むものとしたりすることができる。なお、連通装置によってマニュアル液圧源に連通させられるブレーキシリンダは、１つであっても２つ以上であってもよい。
(２)当該液圧ブレーキシステムが、当該液圧ブレーキシステムの制御系が正常である場合と、前記出力液圧制御装置を制御することによって、前記ブレーキシリンダの液圧を制御する正常時出力液圧制御装置を含む(1)項に記載の液圧ブレーキシステム。
ブレーキシリンダの液圧は、要求液圧に近づくように制御されるのであり、要求液圧は、運転者のブレーキ操作部材の操作状態に基づいて決定されたり、車両の走行状態や先行車両との相対位置関係等に基づいて決定されたりする。
(３)当該液圧ブレーキシステムが、当該液圧ブレーキシステムが前記出力液圧制御装置によって前記第２液圧発生装置の出力液圧を制御できない状態である場合に、前記第２液圧発生装置から前記マニュアル関連ブレーキ系統へ前記流れ抑制装置を経て作動液が流れることを許容する異常時作動液供給機構を含む(1)項または(2)項に記載の液圧ブレーキシステム。
本項に記載の液圧ブレーキシステムにおいては、出力液圧制御装置によって第２液圧発生装置の出力液圧を制御できない異常時に、マニュアル関連ブレーキ系統に第２液圧発生装置の液圧を供給することができる。また、流れ抑制装置を経て作動液が供給されるため、マニュアル関連ブレーキ系統に、過大な液圧の作動液が供給されたり、大流量で作動液が供給されたりすることを回避することができる。
(４)当該液圧ブレーキシステムが、当該液圧ブレーキシステムが前記出力液圧制御装置によって前記第２液圧発生装置の出力液圧を制御できない状態である場合に、前記動力式液圧源を制御する動力式液圧源制御装置を含む(1)項ないし(3)項のいずれか１つに記載の液圧ブレーキシステム。
出力液圧制御装置によって第２液圧発生装置の出力液圧を制御できない状態（異常な状態）とは、当該液圧ブレーキシステムの制御系が異常である状態をいう。例えば、出力液圧制御装置自体の異常、出力液圧制御装置の制御に利用されるセンサ等の異常、出力液圧制御装置の制御に関連して制御される他の制御部（例えば、他の制御弁）等の異常、出力液圧制御装置を制御するメインコンピュータの異常、出力液圧制御装置やメインコンピュータに電力を供給するメイン電源の異常、メイン電源系統における電気系の異常等であって、かつ、動力式液圧源が作動可能な状態が該当する。
例えば、出力液圧制御装置自体の異常、センサ等の異常、他の制御部の異常の場合には、動力式液圧源を作動させることができる。
また、動力式液圧源が出力液圧制御装置を制御するメインコンピュータとは別のサブコンピュータによって制御される場合には、メインコンピュータが異常であってもサブコンピュータによって動力式液圧源を制御することができる。
さらに、動力式液圧源、動力式液圧源を制御するサブコンピュータが、メイン電源とは異なるサブ電源から供給される電力によって作動可能とされている場合には、メイン電源の異常、メイン電源を含む電気系統の異常であっても、サブ電源、サブコンピュータが正常である場合には、動力式液圧源を制御することが可能となる。
なお、動力式液圧源については、電源系統、制御系統について二重系とすることができる。例えば、動力式液圧源は、メイン電源とサブ電源とから電力が供給可能とたり、メインコンピュータとサブコンピュータとの両方によって制御可能としたりすることができる。
また、出力液圧制御装置によって出力液圧を制御できる状態（正常な状態）においては、第２液圧発生装置から流れ抑制装置を経るマニュアル関連ブレーキ系統への作動液の流れが阻止されることが望ましい。さらに、当該液圧ブレーキシステムの制御系が異常であることによって動力式液圧源が作動させられる場合には、第２液圧発生装置から出力液圧制御装置を経てマニュアル関連ブレーキ系統に作動液が供給されないようにすることが望ましいが不可欠ではない。
(５)当該液圧ブレーキシステムが、前記出力液圧制御装置に電力を供給するメイン電源と、前記動力式液圧源に電力を供給するサブ電源とを含む(1)項ないし(4)項のいずれか１つに記載の液圧ブレーキシステム。
(６)当該液圧ブレーキシステムが、前記出力液圧制御装置を制御するメインコンピュータ（ＣＰＵ）と、前記動力式液圧源を制御するサブコンピュータ（ＣＰＵ）とを含む(1)項ないし(5)項のいずれか１つに記載の液圧ブレーキシステム。
メインコンピュータにはメイン電源から電力が供給され、サブコンピュータにはサブ電源から電力が供給されるようにすることができる。
【０００８】
(７)前記連通装置が、前記マニュアル式液圧源と前記少なくとも１つのブレーキシリンダとを接続するマニュアル通路を含み、
前記流れ抑制装置が、前記第２液圧発生装置と前記マニュアル通路との間に設けられた(1)項ないし(6)項に記載の液圧ブレーキシステム。
第２液圧発生装置からマニュアル通路へは、流れ抑制装置を経て液圧が供給される。流れ抑制装置を経て供給された液圧は、マニュアル式液圧源に供給されるとともに、マニュアル通路に接続されたブレーキシリンダに供給される。
(８)当該液圧ブレーキシステムが、前記マニュアル通路に設けられ、ソレノイドへの電流の供給制御により、少なくとも開状態と閉状態とに切換え可能な電磁開閉弁であるマニュアル遮断弁を含み、
前記流れ抑制装置が、前記第２液圧発生装置と前記マニュアル通路の前記マニュアル遮断弁よりブレーキシリンダ側の部分との間に設けられた(7)項に記載の液圧ブレーキシステム。
マニュアル関連ブレーキ系統において第２液圧発生装置の液圧の供給が要求されない場合（作動液がマニュアル通路に供給されない場合）であっても、流れ抑制装置の異常等により、作動液がマニュアル関連ブレーキ系統に供給されることがある。
この場合に、マニュアル通路に供給された第２液圧発生装置の液圧がマニュアル式液圧源に供給されると、ブレーキ操作部材に力が加えられ、運転者が違和感を感じることがある。また、マニュアル式液圧源の液圧がブレーキ操作部材のストロークに対して大きくなるため、マニュアル式液圧源が正常であるにも係わらず、異常であると誤検出されるおそれがある。
それに対して、第２液圧発生装置の液圧がマニュアル遮断弁の下流側（マニュアル液圧源とは反対側）に供給される場合において、マニュアル遮断弁が閉状態にある場合には、マニュアル通路に供給された第２液圧発生装置の液圧のマニュアル式液圧源への供給が防止されるため、ブレーキ操作部材への影響を防止することができ、違和感を軽減することができる。また、マニュアル式液圧源への作動液の供給が防止されるため、マニュアル式液圧源が異常であるとの誤検出を防止することができる。
なお、マニュアル遮断弁が開状態にあっても、絞り効果により、マニュアル遮断弁の上流側（マニュアル式液圧源側）に接続される場合より、運転者の違和感を軽減し、誤って異常であると検出され難くすることができる。
(９)前記連通装置が、(i)前記少なくとも１つのブレーキシリンダが、それぞれ、個別通路を介して接続された共通通路と、(ii)前記少なくとも１つの個別通路のうちの１つと、(iii)その１つの個別通路と前記マニュアル式液圧源とを接続する個別接続通路とを含み、
前記流れ抑制装置が、前記第２液圧発生装置と前記個別接続通路との間に設けられた(1)項ないし(8)項のいずれか１つに記載の液圧ブレーキシステム。
個別接続通路と、個別通路の個別接続通路の接続部よりブレーキシリンダ側の部分とによってマニュアル通路が構成されると考えることができ、流れ抑制装置が、第２液圧発生装置と、マニュアル通路の一部である個別接続通路との間に設けられる。
(１０)前記連通装置が、(i)前記少なくとも１つのブレーキシリンダが、それぞれ、個別通路を介して接続された共通通路と、(ii)前記少なくとも１つの個別通路のうちの１つと、(iii)その１つの個別通路と前記マニュアル式液圧源とを接続する個別接続通路とを含み、
前記流れ抑制装置が、前記第２液圧発生装置と前記共通通路との間に設けられた(1)項ないし(9)項のいずれか１つに記載の液圧ブレーキシステム。
第２液圧発生装置の液圧は、流れ抑制装置を経て共通通路に供給される。共通通路に供給された液圧は、個別通路、個別接続通路を経てマニュアル式液圧源に供給されるとともに、個別通路を経てブレーキシリンダに供給される。
(１１)前記１つの個別通路に、その個別通路に接続された前記ブレーキシリンダの液圧を制御可能な個別制御弁が設けられ、前記個別接続通路が、前記１つの個別通路の、前記個別制御弁より前記ブレーキシリンダ側の部分に接続された(10)項に記載の液圧ブレーキシステム。
個別接続通路が、個別通路の個別制御弁よりブレーキシリンダ側の部分に接続される。そのため、第２液圧発生装置と個別接続通路との間には、少なくとも、流れ抑制装置と個別制御弁とが介在する。
このように、第２液圧発生装置と、個別接続通路との間に個別制御弁が介在するため、個別制御弁を閉状態とすれば、個別接続通路およびマニュアル式液圧源を含むブレーキ系統（第１ブレーキ系統）と、第２液圧発生装置を含むブレーキ系統（第２ブレーキ系統）とを、互いに独立にすることができる。その結果、たとえ、第１ブレーキ系統と第２ブレーキ系統とのいずれか一方に液漏れが生じても、その影響が他方に及ばないようにすることができる。
なお、個別制御弁は、例えば、アンチロック制御等のスリップ制御に用いられる制御弁とすることができる。
(１２)前記個別制御弁が、ソレノイドに電流が供給されない場合に開状態にある常開の電磁開閉弁である(11)項に記載の液圧ブレーキシステム。
個別制御弁が常開の電磁開閉弁である場合には、ソレノイドに電流が供給されない場合に、第２液圧発生装置の液圧が、流れ抑制装置、開状態にある個別制御弁を経て個別接続通路に供給される。
(１３)前記連通装置が、(i)前記少なくとも１つのブレーキシリンダが、それぞれ、個別通路を介して接続された共通通路と、(ii)前記少なくとも１つの個別通路のうちの１つと、(iii)前記共通通路と前記マニュアル式液圧源とを接続する共通接続通路とを含み、
前記流れ抑制装置が、前記第２液圧発生装置と前記共通通路との間に設けられた(1)項ないし(12)項のいずれか１つに記載の液圧ブレーキシステム。
【０００９】
(１４)前記出力液圧制御装置が、前記第２液圧発生装置と前記共通通路との間に設けられた(9)項ないし(13)項のいずれか１つに記載の液圧ブレーキシステム。
(１５)前記出力液圧制御装置が、前記第２液圧発生装置と前記マニュアル通路との間に設けられた(7)項ないし(14)項のいずれか１つに記載の液圧ブレーキシステム。
第２液圧発生装置の液圧が出力液圧制御装置によって制御されて、共通通路に供給されるようにしても、マニュアル通路に供給されるようにしてもよい。
第２液圧発生装置の液圧が出力液圧制御装置によって制御される場合には、ブレーキシリンダはマニュアル式液圧源から遮断されていることが多い。出力液圧制御装置は、マニュアル通路のマニュアル遮断弁よりブレーキシリンダ側の部分との間に設けられることが多い。
(１６)前記出力液圧制御装置が、前記第２液圧発生装置と前記第１液圧発生装置との間に設けられた(1)項ないし(15)項のいずれか１つに記載の液圧ブレーキシステム。
(１７)前記出力液圧制御装置が、ソレノイドへの電流の供給制御により、少なくとも開状態と閉状態とに切り換え可能な電磁開閉弁を含む(1)項ないし(16)項のいずれか１つに記載の液圧ブレーキシステム。
(１８)前記出力液圧制御装置が、ソレノイドへの供給電流の制御により、前後の差圧を制御可能なリニア制御弁を含む(1)項ないし(17)項のいずれか１つに記載の液圧ブレーキシステム。
出力液圧制御装置は、ソレノイドへの供給電流のＯＮ・ＯＦＦにより開閉可能な単なる電磁開閉弁を含むものとしても、ソレノイドへの供給電流の大きさを制御することにより前後の差圧を制御可能なリニア制御弁を含むものとしてもよい。
出力液圧制御装置は、リニア制御弁を含む場合の方が単なる開閉弁を含む場合より、制御対象液圧をきめ細かに制御することができる。また、作動音を軽減することができる。
出力液圧制御装置は、第２液圧発生装置の出力液圧を減圧して出力する増圧制御弁（第２液圧発生装置とマニュアル関連ブレーキ系統との間に設けられる）と、増圧制御弁の制御圧（マニュアル関連ブレーキ系統の液圧）をさらに減圧する減圧制御弁（増圧制御弁の制御側と低圧源との間に設けられる）との両方を含むものであっても、増圧制御弁を含み減圧制御弁を含まないものであってもよい。
増圧制御弁がリニア制御弁である場合において、第２液圧発生装置の液圧とマニュアル関連ブレーキ系統の液圧との差圧が制御されるのであり、第２液圧発生装置の液圧をほぼ一定とみなすことができる場合には、マニュアル関連ブレーキ系統の液圧がソレノイドへの供給電流の大きさに応じた大きさに制御される。
【００１０】
(１９)前記流れ抑制装置が、前記第２液圧発生装置の液圧が前記マニュアル関連ブレーキ系統の液圧より設定圧以上大きくなると、前記第２液圧発生装置から前記マニュアル関連ブレーキ系統への作動液の流れを許容するリリーフ弁を含む(1)項ないし(18)項のいずれか１つに記載の液圧ブレーキシステム。
(２０)前記流れ抑制装置が、ソレノイドへの電流の供給制御により、少なくとも、開状態と閉状態とに切り換え可能であって、前記ソレノイドに電流が供給されない場合に閉状態にある常閉の電磁開閉弁を含む(1)項ないし(19)項のいずれか１つに記載の液圧ブレーキシステム。
電磁開閉弁がシーティング弁である場合には、弁子、弁座、弁子を弁座に付勢するスプリングとを含むのが普通である。そして、電磁開閉弁が、弁子に第２液圧発生装置の液圧を受ける状態で配設される場合において、電磁開閉弁の閉状態において、前後の差圧がスプリングの付勢力より大きくなると弁子が弁座から離間させられ、開状態に切り換えられる。このように、本項に記載の液圧ブレーキシステムにおいて、電磁開閉弁はリリーフ弁として用いられることになる。
リリーフ弁の設定圧（開弁圧、リリーフ圧と称することができる）は、当該液圧ブレーキシステムが正常である場合には、第２液圧発生装置の液圧が加えられても閉状態に保持され、制御系が異常である場合に、動力式液圧源が制御されることにより、開かれる大きさとすることが望ましい。
なお、電磁開閉弁は、当該液圧ブレーキシステムが正常である場合に、出力液圧制御装置として利用することもできる。
また、出力液圧制御装置によって第２液圧発生装置の液圧を制御できない状態であっても、電磁開閉弁が制御可能とされている場合には、電磁開閉弁の制御により、第２液圧発生装置からマニュアル関連ブレーキ系統への作動液の流れを制御することができる。
(２１)前記流れ抑制装置が、前記マニュアル関連ブレーキ系統から前記第２液圧発生装置への作動液の流れを阻止する機能を有する逆流阻止部を含む(1)項ないし(20)項のいずれか１つに記載の液圧ブレーキシステム。
マニュアル関連ブレーキ系統から第２液圧発生装置への作動液の流れを阻止することが望ましい。上述の電磁開閉弁、リリーフ弁は、逆流阻止部を有すると考えることができる。
(２２)前記動力式液圧源が、(i)駆動源と、(ii)その駆動源により作動させられ、作動液を供給する作動液供給部とを含み、第２液圧発生装置が、前記作動液供給部から供給された作動液を加圧した状態で保持するアキュムレータを含む(1)項ないし(21)項のいずれか１つに記載の液圧ブレーキシステム。
作動液供給部から供給された作動液がマニュアル関連ブレーキ系統に供給される場合において、アキュムレータにおいて作動液の脈動が抑制される。
なお、本項に記載の液圧ブレーキシステムにおいては、流れ抑制装置とアキュムレータとの間に、アキュムレータから流れ抑制装置に向かう作動液の流れを阻止する逆止弁は設けられていない。
(２３)当該液圧ブレーキシステムが、(x)当該液圧ブレーキシステムの制御系が正常である場合には、前記駆動源への供給電気エネルギを、前記アキュムレータに蓄えられる作動液の液圧が予め定められた設定範囲内にあるように制御する正常時制御部と、(y)当該液圧ブレーキシステムの制御系が異常である場合には、前記駆動源への供給電気エネルギを、前記作動液供給部から供給される作動液の流量が設定値となるように制御する異常時制御部とを含む(22)項に記載の液圧ブレーキシステム。
正常時制御部は、アキュムレータ圧が設定範囲の下限値より低くなると駆動源を始動させ、上限値を超えると停止させる開始・停止部を含むものとすることができる。それにより、アキュムレータ圧が設定範囲内に保たれる。
異常時制御部は、作動液供給部から供給される作動液の流量がほぼ設定値となり、マニュアル式液圧源に供給される作動液の流量がほぼ設定値となるように制御することができる。設定値は、運転者のブレーキ操作部材に加えられる操作力が同じであっても、マニュアル式液圧源の液圧を増圧可能であれば、大きさは問わない。例えば、運転者によってマニュアル式液圧源の液圧を調整可能な大きさとしたり、運転者の操作力で決まる大きさ（例えば、操作力より設定値以上大きい液圧を発生可能な大きさ）としたりすること等ができる。また、設定値は固定値であっても可変値であってもよく、マニュアル式液圧源の状態（運転者によるブレーキ操作部材の操作状態を含む）等に基づいてその都度決めることもできる。
なお、異常時制御部は、作動液供給部から供給される作動液の流量がパターンに従って変化するように制御するパターン対応制御部を含むものとすることができる。その場合に、設定値は、最終的な値を意味するものとしたり、パターンに従って変化させられる各々の値を意味するものとしたりすることができる。
また、異常時制御部は、駆動源が電動モータである場合に、電動モータの回転数が設定値となるように制御する電動モータ制御部を含むものとすることができる。電動モータ制御部は、電動モータの回転数が、予め定められたパターンに従って変化するように、供給電流を制御するパターン対応制御部を含むものとすることができる。異常時制御部は、動力式液圧源制御装置に含まれるものとすることができる。
【００１１】
(２４)当該液圧ブレーキシステムが、前記複数の車輪のうちの左右前輪に対応して設けられた前記液圧ブレーキの前記ブレーキシリンダが、それぞれ、前輪用個別通路を介して接続された前輪用共通通路を含み、
前記マニュアル式液圧源が、２つの加圧ピストンを備え、前記ブレーキ操作部材の操作により２つの加圧室にそれぞれ液圧を発生させるタンデム式のマスタシリンダの加圧室の各々とされ、それら加圧室の各々が前記前輪用個別通路の各々に、それぞれ、前輪用個別接続通路を介して接続され、
前記連通装置が、(i)前記前輪用共通通路と、(ii)前記２つの前輪用個別通路のいずれか一方と、(iii)その一方の前輪用個別通路に接続された一方の前輪用個別接続通路とを含む(1)項ないし(23)項のいずれか１つに記載の液圧ブレーキシステム。
本項に記載の液圧ブレーキシステムにおいて、左右前輪のブレーキシリンダが、それぞれ、前輪用共通通路を介することなく、マスタシリンダの加圧室に接続される。
マニュアル関連ブレーキ系統は、連通装置と、一方の前輪用個別接続通路が接続された加圧室と、その加圧室に接続された一方のブレーキシリンダとを含む。
(２５)当該液圧ブレーキシステムが、(i)前記一方の前輪用個別通路に設けられ、ソレノイドへの電流の供給制御により開状態と閉状態とに切り換え可能であって、ソレノイドに電流が供給されない場合に開状態にある常開の電磁開閉弁である前輪用個別制御弁と、(ii)前記２つの前輪用個別通路の他方に設けられ、ソレノイドへの電流の供給制御により開状態と閉状態とに切り換え可能であって、ソレノイドに電流が供給されない場合に閉状態にある常閉の電磁開閉弁である前輪用個別制御弁とを含み、
前記一方の前輪用個別接続通路が、前記一方の前輪用個別通路の前記常開の前輪用個別制御弁より下流側の部分に接続され、前記他方の前輪用個別接続通路が、前記他方の前輪用個別通路の前記常閉の前輪用個別制御弁より下流側の部分に接続された(24)項に記載の液圧ブレーキシステム。
一方の前輪用個別通路に設けられた一方の前輪用個別制御弁が常開の電磁開閉弁であり、他方の前輪用個別通路に設けられた他方の前輪用個別制御弁が常閉の電磁開閉弁である。
第２液圧発生装置が出力液圧制御装置を介して前輪用共通通路に接続される場合において、前輪用共通通路に供給された第２液圧発生装置の液圧は、常開の前輪用個別制御弁を経て、一方の個別接続通路に供給され、マニュアル式液圧源に供給されるとともにブレーキシリンダに供給される。
(２６)当該液圧ブレーキシステムが、前記２つの前輪用個別接続通路の各々に設けられ、ソレノイドに電流が供給されない場合に開状態にある常開の電磁開閉弁であるマニュアル遮断弁を含む(24)項または(25)項に記載の液圧ブレーキシステム。
マニュアル遮断弁は、常開の電磁開閉弁であるため、ソレノイドに電流が供給されない場合に開状態にある。そのため、一方の前輪用個別接続通路に供給された第２液圧発生装置の液圧は、ブレーキシリンダにもマニュアル式液圧源にも供給され得る。
(２７)前記２つの加圧室の他方に、前記２つの加圧ピストンの移動を規制する移動規制部が設けられた(24)項ないし(26)項のいずれか１つに記載の液圧ブレーキシステム。
他方の加圧室に移動規制部が設けられるため、第２液圧発生装置の液圧は流れ抑制装置を経て一方の加圧室に供給されるようにすることが望ましい。
(２８)前記第１液圧発生装置が、前記ブレーキ操作部材に加えられた操作力を倍力する液圧ブースタを備え、前記出力液圧制御装置が、前記第２液圧発生装置と前記液圧ブースタとの間に設けられた(1)項ないし(27)項のいずれか１つ記載の液圧ブレーキシステム。
第１液圧発生装置が、(a)ブレーキ操作部材の前進に伴って前進させられる加圧ピストンと、(b)その加圧ピストンの前方に設けられた前方加圧室と、(c)加圧ピストンの後方に設けられた後方液圧室（ブースタ室と称することができる）とを含み、前方加圧室にブレーキシリンダが接続され、後方液圧室に第２液圧発生装置が出力液圧制御装置を介して接続される。後方液圧室の液圧は、ブレーキ操作部材の操作力に応じた大きさに制御されるため、前方加圧室の液圧はブレーキ操作力を倍力した大きさに対応する液圧とされる。また、流れ抑制装置は、加圧室、加圧室とブレーキシリンダとに連通可能な連通装置、ブレーキシリンダとを含む加圧室関連ブレーキ系統（マニュアル関連ブレーキ系統の一部：第１液圧発生装置のうちの加圧ピストンより前方側の部分）との間に設けることができる。
第１液圧発生装置において、加圧ピストンはブレーキ操作部材の前進に伴って前進させられるため、後方液圧室に液圧を供給することにより、前方加圧室には、ブレーキ操作部材の操作力に対応する液圧（後方液圧室に液圧が供給されない場合の前方加圧室の液圧をいう。ブレーキ操作部材が作用操作されていない場合には、前方加圧室の液圧は大気圧の場合もある）より高い液圧が発生させられることになる。
(２９)前記第１液圧発生装置が、(a)ブレーキ操作部材の操作によって液圧を発生させるマニュアル依拠液圧発生状態と、(b)前記出力液圧制御装置によって制御された液圧が供給されることにより液圧を発生させる第２液圧依拠液圧発生状態と、(c)前記ブレーキ操作部材の操作に応じて反力を付与するストロークシミュレータ状態とをとり得るものである(1)項ないし(28)項のいずれか１つに記載の液圧ブレーキシステム。
ストロークシミュレータ状態において、第２液圧依拠液圧発生状態である場合とそうでない場合とがある。すなわち、ストロークシミュレータとして機能しつつ、第２液圧発生装置の液圧により前方加圧室に液圧が発生させられる場合と、前方加圧室に液圧が発生させられない場合とがある。
(３０)前記第１液圧発生装置が、(a)ハウジングと、(b)そのハウジングに対して液密かつ摺動可能に嵌合された加圧ピストンと、(c)加圧ピストンの前方に設けられ、加圧ピストンの前進に伴って液圧が発生させられる前方加圧室と、(d)前記加圧ピストンの後方に設けられた後方液圧室と、(e)前記ブレーキ操作部材を前記加圧ピストンから遮断して、前記ブレーキ操作部材に反力を付与する反力付与機構と、(f)前記ブレーキ操作部材と前記加圧ピストンとを連携させて、前記加圧室に前記ブレーキ操作部材の操作に応じた液圧を発生させるマニュアル液圧発生機構とを含み、前記第２液圧発生装置が、前記後方液圧室に前記出力液圧制御装置を介して接続された(29)項に記載の液圧ブレーキシステム。
(３１)当該液圧ブレーキシステムが、前記反力付与機構により、前記ブレーキ操作部材に反力が付与されている状態において、前記出力液圧制御装置を、前記液圧ブレーキの要求液圧に基づいて制御する後方液圧制御部を含み、前記流れ抑制装置が、前記マニュアル関連ブレーキ系統のうち、前記前方加圧室と、前記少なくとも１つのブレーキシリンダと、これら前方加圧室と少なくとも１つのブレーキシリンダとに連通可能な連通装置とを含む加圧室関連ブレーキ系統と、前記第２液圧発生装置との間に設けられた(30)項に記載の液圧ブレーキシステム。
本項に記載の第１液圧発生装置は、液圧ブレーキシステムが正常である場合には、ブレーキ操作部材が加圧ピストンから遮断された状態で、前方加圧室の液圧が後方液圧室の液圧の制御により制御される。そのため、前方加圧室の液圧を、加圧ピストンとブレーキ操作部材とが連携させられた場合のブレーキ操作力に対応する液圧より低い液圧に制御することもできる。
また、ブレーキ操作部材が操作されていても、液圧ブレーキを作用させる要求がない場合には、後方液圧室に液圧が供給されないようにすることよって、前方加圧室に液圧が発生させられないようにすることができる。
さらに、反力付与機構が設けられるため、これらの場合であっても、ブレーキ操作部材の操作が許容され、操作フィーリングが低下することが回避される。
このように、本項に記載の液圧ブレーキシステムは、回生協調制御に適したものである。
出力液圧制御装置によって第２液圧発生装置の液圧を制御できない異常が生じた場合には、ブレーキ操作部材と加圧ピストンとが連携させられ、加圧ピストンは、ブレーキ操作部材の前進に伴って前進させられる。前方加圧室には、ブレーキ操作部材の操作力に応じた大きさの液圧が発生させられる。この場合には、第２液圧発生装置の液圧が流れ抑制装置を経て加圧室関連ブレーキ系統に供給されるため、ブレーキシリンダの液圧の低下を抑制することができる。
【００１２】
(３２)運転者のブレーキ操作部材の操作により液圧を発生させるマニュアル式液圧源と、
(a)電気エネルギの供給により作動させられ、液圧を発生させる動力式液圧源と、(b)その動力式液圧源から供給された作動液を加圧した状態で蓄えるアキュムレータとを含む蓄圧機能付き動力式液圧発生装置と、
車両の複数の車輪の各々に対応して設けられ、それぞれ、前記マニュアル式液圧源の液圧がブレーキシリンダに供給されることにより作動させられ、その車輪の回転を抑制する複数の液圧ブレーキと、
前記マニュアル式液圧源と前記蓄圧機能付き動力式液圧発生装置との間に設けられ、前記蓄圧機能付き動力式液圧発生装置の液圧が前記マニュアル式液圧源の液圧より設定圧以上大きい場合に、前記蓄圧機能付き動力式液圧発生装置から前記マニュアル式液圧源への作動液の流れを許容するリリーフ弁と
を含むことを特徴とする液圧ブレーキシステム。
特許文献４に記載の液圧ブレーキシステムにおいては、作動液を加圧した状態で蓄えるアキュムレータは設けられていない。そのため、特許文献４に、本項に記載の技術的特徴を示唆する記載はない。
本項に記載の液圧ブレーキシステムには、(1)項ないし(31)項のいずれかに記載の技術的特徴を採用することができる。
(３３)運転者のブレーキ操作部材の操作により液圧を発生させるマニュアル式液圧源と、
電気エネルギの供給により作動させられ、液圧を発生させる動力式液圧源を備えた動力式液圧発生装置と、
車両の複数の車輪の各々に対応して設けられ、それぞれ、ブレーキシリンダの液圧により作動させられ、その車輪の回転を抑制する複数の液圧ブレーキと、
前記ブレーキシリンダを前記マニュアル式液圧源から遮断して前記動力式液圧発生装置の液圧を利用して前記ブレーキシリンダの液圧を制御するブレーキ液圧制御装置と、
前記マニュアル式液圧源と、前記複数のブレーキシリンダのうちの少なくとも１つと、これらマニュアル式液圧源と前記少なくとも１つのブレーキシリンダとに連通可能な連通装置とを含むマニュアル関連ブレーキ系統と、前記動力式液圧発生装置との間に設けられ、前記動力式液圧発生装置の液圧が前記マニュアル関連ブレーキ系統の液圧より設定圧以上大きくなった場合に、前記動力式液圧発生装置から前記マニュアル関連ブレーキ系統への作動液の流れを許容するリリーフ弁と、
前記ブレーキ液圧制御装置の異常時に、前記動力式液圧発生装置の液圧を前記マニュアル関連ブレーキ系統に供給して、前記ブレーキ操作部材の操作力が同じ場合に、前記ブレーキシリンダの液圧を増加させる異常時増圧機構と
を含むことを特徴とする液圧ブレーキシステム。
本項に記載の液圧ブレーキシステムには、(1)項ないし(32)項のいずれかに記載の技術的特徴を採用することができる。
(３４)運転者のブレーキ操作部材の操作により液圧を発生させるマニュアル式液圧源と、
電気エネルギの供給により作動させられ、液圧を発生させる動力式液圧源を備えた動力式液圧発生装置と、
車両の複数の車輪の各々に対応して設けられ、それぞれ、ブレーキシリンダの液圧により作動させられ、その車輪の回転を抑制する複数の液圧ブレーキと
を含む液圧ブレーキシステムであって、
前記動力式液圧発生装置と前記マニュアル式液圧源との間に設けられ、前記動力式液圧発生装置の液圧が前記マニュアル式液圧源の液圧より設定圧以上大きい場合に、前記動力式液圧発生装置から前記マニュアル式液圧源への作動液の流れを許容するリリーフ弁と、
当該液圧ブレーキシステムが正常である場合に、前記動力式液圧発生装置の出力液圧を制御して、前記リリーフ弁をバイパスして、前記複数のブレーキシリンダに供給する正常時液圧供給部と、
当該液圧ブレーキシステムの制御系の異常時に、前記動力式液圧源を作動させて、前記動力式液圧発生装置の出力液圧を、前記リリーフ弁を経て、前記マニュアル式液圧源に供給する異常時液圧供給部と
を含むことを特徴とする液圧ブレーキシステム。
正常時制御部は、動力式液圧源を制御するものとしたり、動力式液圧源の出力側に設けられた出力液圧制御弁を制御するものとしたりすることができる。正常時制御部が、前者の動力式液圧源を制御するものである場合には、実際のブレーキシリンダの液圧が要求液圧に近づくように、動力式液圧源を制御する。
それに対して、異常時制御部は、動力式液圧源を、例えば、異常時制御パターンに従って制御するものとすることができる。要求液圧が満たされるように制御するのではなく、マニュアル式液圧源に供給される作動液の流量がほぼ設定量に保たれるように制御すること等ができる。
動力式液圧発生装置は、アキュムレータを含むものとすることができる等、本項に記載の液圧ブレーキシステムには、(1)項ないし(33)項のいずれかに記載の技術的特徴を採用することができる。
【図面の簡単な説明】
【００１３】
【図１】本発明の実施例１に係る液圧ブレーキシステムが搭載された車両全体を示す図である。
【図２】上記液圧ブレーキシステムの液圧回路図である。
【図３】上記液圧ブレーキシステムに含まれるマスタシリンダの断面図である。
【図４】(a)上記液圧ブレーキシステムに含まれる増圧リニア制御弁、減圧リニア制御弁の断面図である。(b)上記増圧リニア制御弁、減圧リニア制御弁の開弁特性を示す図である。
【図５】上記液圧ブレーキシステムに含まれるブレーキＥＣＵの記憶部に記憶されたイニシャルチェックプログラムを表すフローチャートである。
【図６】上記ブレーキＥＣＵの記憶部に記憶されたブレーキ液圧制御プログラムを表すフローチャートである。
【図７】上記液圧ブレーキシステムにおいて、ブレーキ液圧制御プログラムが実行された場合の状態を示す図である（正常な場合）。
【図８】上記液圧ブレーキシステムにおいて、ブレーキ液圧制御プログラムが実行された場合の別の状態を示す図である（制御系が異常である場合）。
【図９】(a)制御系が異常な場合にポンプモータの制御が行われた場合の、マスタシリンダの液圧と操作力との関係を示す図である。(b)ポンプモータの制御が行われない場合の、マスタシリンダの液圧と操作力との関係を示す図である。(c)制御系が異常である場合のポンプモータの制御パターンを模式的に示す図である。
【図１０】前記液圧ブレーキシステムに含まれるポンプモータＥＣＵの記憶部に記憶された異常時ポンプモータ制御プログラムを表すフローチャートである。
【図１１】上記液圧ブレーキシステムにおいて、ブレーキ液圧制御プログラムが実行された場合のさらに別の状態を示す図である（システム全体の電気系が異常である場合）。
【図１２】上記液圧ブレーキシステムにおいて、ブレーキ液圧制御プログラムが実行された場合の別の状態を示す図である（液漏れの可能性がある場合）。
【図１３】本発明の実施例２に係る液圧ブレーキシステムのブレーキＥＣＵ、ポンプモータＥＣＵ周辺を概念的に示す図である。
【図１４】本発明の実施例３に係る液圧ブレーキシステムに含まれる液圧回路図を示す図である。
【図１５】本発明の実施例４に係る液圧ブレーキシステムに含まれる液圧回路図を示す図である。
【図１６】上記液圧ブレーキシステムにおける作動状態を示す図（制御系が異常である場合）である。
【図１７】上記液圧ブレーキシステムにおける別の作動状態を示す図（液漏れの可能性がある場合）である。
【図１８】本発明の実施例５に係る液圧ブレーキシステムに含まれる液圧回路図を示す図である。
【図１９】本発明の実施例６に係る液圧ブレーキシステムに含まれる液圧回路図を示す図である。
【発明を実施するための形態】
【００１４】
以下、本発明の一実施形態である液圧ブレーキシステムについて図面に基づいて詳細に説明する。
【実施例１】
【００１５】
＜車両＞
最初に、実施例１に係る液圧ブレーキシステムが搭載された車両について説明する。
本車両は、駆動装置として電動モータとエンジンとを含むハイブリッド車両である。ハイブリッド車両において、駆動輪としての左右前輪２，４は、電気的駆動装置６と内燃的駆動装置８とを含む駆動装置１０によって駆動される。駆動装置１０の駆動力はドライブシャフト１２，１４を介して左右前輪２，４に伝達される。内燃的駆動装置８は、エンジン１６，エンジン１６の作動状態を制御するエンジンＥＣＵ１８等を含むものであり、電気的駆動装置６は駆動用の電動モータ（以下、駆動用モータと称する）２０，蓄電装置２２，モータジェネレータ２４，電力変換装置２６，駆動用モータＥＣＵ２８，動力分割機構３０等を含む。動力分割機構３０には、駆動用モータ２０、モータジェネレータ２４、エンジン１６が連結され、これらの制御により、出力部材３２に駆動用モータ２０の駆動トルクのみが伝達される状態、エンジン１６の駆動トルクと駆動用モータ２０の駆動トルクとの両方が伝達される状態、エンジン１６の出力がモータジェネレータ２４と出力部材３２とに出力される状態等に切り換えられる。出力部材３２に伝達された駆動力は、減速機、差動装置を介してドライブシャフト１２，１４に伝達される。
電力変換装置２６は、インバータ等を含むものであり、駆動用モータＥＣＵ２８によって制御される。インバータの電流制御により、少なくとも、駆動用モータ２０に蓄電装置２２から電気エネルギが供給されて回転させられる回転駆動状態と、回生制動により発電器として機能することにより蓄電装置２２に電気エネルギを充電する充電状態とに切り換えられる。充電状態においては、左右前輪２，４に回生制動トルクが加えられる。その意味において、電気的駆動装置６は回生ブレーキ装置であると考えることができる。【００１６】
液圧ブレーキシステムは、左右前輪２，４に設けられた液圧ブレーキ４０のブレーキシリンダ４２，左右後輪４６，４８（図２等に参照）に設けられた液圧ブレーキ５０のブレーキシリンダ５２と、これらブレーキシリンダ４２，５２の液圧を制御可能な液圧制御部５４等を含む。液圧制御部５４は、後述するように、複数の電磁開閉弁と、電気エネルギの供給により駆動させられる動力式液圧源の駆動源としてのポンプモータ５５とを含み、複数の電磁開閉弁の各々のソレノイドはコンピュータを主体とするブレーキＥＣＵ５６の指令に基づいて制御され、ポンプモータ５５はポンプモータＥＣＵ５７の指令に基づいて制御される。
また、車両には、ハイブリッドＥＣＵ５８が設けられ、これらハイブリッドＥＣＵ５８，ブレーキＥＣＵ５６，エンジンＥＣＵ１８，駆動用モータＥＣＵ２８は、ＣＡＮ（Car area Network）５９を介して接続されている。これらの間で互いに通信可能とされており、適宜必要な情報が通信される。【００１７】
なお、本液圧ブレーキシステムは、ハイブリッド車両に限らず、プラグインハイブリッド車両、電気自動車、燃料電池車両に搭載することもできる。電気自動車においては、内燃的駆動装置８が不要となる。燃料電磁車両においては、駆動用モータが燃料電池スタック等によって駆動される。
また、本液圧ブレーキシステムは、内燃駆動車両に搭載することもできる。電気的駆動装置６が設けられていない車両においては、駆動輪２，４に回生制動トルクが加えられることがないため、回生協調制御が行われることはない。ブレーキシリンダ４２，５２の液圧は、総要求制動トルクに対応する液圧に制御される。
さらに、本液圧ブレーキシステムに含まれる各要素は、図示しない共通電源（例えば、蓄電装置２２）から電気エネルギが供給される。【００１８】
＜液圧ブレーキシステム＞
次に、液圧ブレーキシステムについて説明するが、ブレーキシリンダ、液圧ブレーキ、後述する種々の電磁開閉弁等を、前後左右の車輪の位置に対応して区別する必要がある場合には、車輪位置を表す符号（ＦＬ，ＦＲ，ＲＬ，ＲＲ）を付して記載し、代表して、あるいは、区別する必要がない場合には、符号を付さないで記載する。【００１９】
本液圧ブレーキシステムは、図２に示す液圧ブレーキ回路を含む。
６０はブレーキ操作部材としてのブレーキペダルであり、６２はブレーキペダル６０の操作により液圧を発生させる第１液圧発生装置としてのマスタシリンダである。６４は第２液圧発生装置であり、動力式液圧源としてのポンプ装置６５と、アキュムレータ６６とを含む。液圧ブレーキ４０，５０は、ブレーキシリンダ４２，５２の液圧により作動させられ、車輪の回転を抑制するものであり、本実施例においては、ディスクブレーキである。
なお、液圧ブレーキ４０，５０は、ドラムブレーキとすることができる。また、前輪２，４の液圧ブレーキ４０をディスクブレーキとし、後輪４６，４８の液圧ブレーキ５０をドラムブレーキとすることもできる。
マスタシリンダ６２は、図３に示すように、(a)ハウジング６７と、(b)そのハウジング６７に摺動可能に嵌合された２つの第１，第２加圧ピストン６８ａ，６８ｂとを備えたタンデム式のものであり、第１，第２加圧ピストン６８ａ，６８ｂのそれぞれの前方が第１，第２加圧室６９ａ，６９ｂとされる。本実施例においては、第１，第２加圧室６９ａ，６９ｂがそれぞれ第１，第２マニュアル式液圧源とされる。また、第１，第２加圧室６９ａ，６９ｂには、それぞれ、第１，第２マスタ通路７０ａ，７０ｂを介してブレーキシリンダ４２ＦＲ、４２ＦＬが接続される。
また、第１，第２加圧室６９ａ，６９ｂは、第１，第２加圧ピストン６８ａ，６８ｂが後退端に達した場合に、それぞれ、リザーバ７２に連通させられる。リザーバ７２の内部は、作動液を収容する複数の収容室に仕切られており、各々、加圧室６９ａ，６９ｂ，ポンプ装置６５に接続される。【００２０】
２つの第１，第２加圧ピストン６８ａ，ｂの間、ハウジング６７の底部と第２加圧ピストン６８ｂとの間には、それぞれ、リターンスプリング７３ａ，ｂが配設され、第１，第２加圧ピストン６８ａ，ｂを、それぞれ、後退方向に付勢する。第１加圧ピストン６８ａにはブレーキペダル６０が連携させられ、ブレーキペダル６０に操作力としての踏力が加えられると、前進させられる。
また、第１加圧ピストン６８ａの前進側部には、ピン７４が固定的に設けられるとともに、第２加圧ピストン６８ｂの後退側部にはリテーナ７５が設けられる。ピン７４は、リテーナ７５に相対移動可能に係合させられ、それにより、第１，第２加圧ピストン６８ａ，ｂの相対移動が許容される。
そして、リテーナ７５の被係合部にピン７４の頭部（係合部）７６が当接することにより、第１加圧ピストン６８ａの第２加圧ピストン６８ｂに対する相対的な後退、換言すれば、第２加圧ピストン６８ｂの第１加圧ピストン６８ａに対する相対的な前進が規制される。本実施例において、リテーナ７５，ピン７４等により伸長規制部７７が構成される。
ハウジング６７の筒部にはリザーバポート７８、７９が設けられ、リザーバ７２に連通させられる。また、第１，第２加圧ピストン６８ａ，ｂの、後退端位置において、リザーバポート７８，７９に対応する位置に、それぞれ、加圧ピストン６８ａ，ｂにそれぞれ設けられた連通孔７８ｐ、７９ｐが設けられる。さらに、ハウジング６７のリザーバポート７８，７９の前後には、それぞれ、一対のカップシール８０ａ，ｂ、８１ａ，ｂが設けられる。第１，第２加圧ピストン６８ａ，ｂの後退端位置において、連通孔７８ｐ、７９ｐとリザーバポート７８，７９とが対向し、第１，第２加圧室６９ａ，ｂがリザーバ７２と連通させられるが、第１，第２加圧ピストン６８ａ，ｂの前進に伴って第１，第２加圧室６９ａ，ｂがリザーバ７２から遮断され、第１，第２加圧室６９ａ，ｂにブレーキペダル６０に加えられた踏力に応じた液圧が発生させられる。本実施例においては、リザーバポート７８，連通孔７８ｐ，カップシール８０ａ，ｂによりリザーバ遮断弁８２が構成され、リザーバポート７９，連通孔７９ｐ，カップシール８１ａ，ｂによりリザーバ遮断弁８３が構成される。
なお、リターンスプリング７３ａ，ｂにおいて、リターンスプリング７３ｂの方が付勢力が小さい（セット荷重が小さく、ばね定数が小さい）ものとされる。【００２１】
第２液圧発生装置６４において、ポンプ装置６５は、駆動源としてのポンプモータ５５と作動液供給部としてのポンプ９０を含み、ポンプ９０によりリザーバ７２から作動液が汲み上げられて吐出されて、アキュムレータ６６に蓄えられる。ポンプモータ５５は、アキュムレータ６６に蓄えられた作動液の圧力が予め定められた設定範囲内にあるようにポンプモータＥＣＵ５７の指令に基づいて制御される。
アキュムレータ圧（アキュムレータ６６に蓄えられた作動液の液圧）が設定範囲の下限値より低くなったこと、設定範囲の上限値に達したことを表す情報（あるいはアキュムレータ圧の大きさを表す情報）が、ブレーキＥＣＵ５６からポンプモータＥＣＵ５７に供給される。
アキュムレータ圧が下限値より低くなると、ポンプモータ５５が始動させられ、アキュムレータ圧が上限値を超えると、ポンプモータ５５が停止させられる。このように、当該液圧ブレーキシステムが正常である場合には、ポンプモータ５５は、アキュムレータ圧が設定範囲内にあるように制御されるのである。【００２２】
一方、左右前輪２，４のブレーキシリンダ４２ＦＬ，ＦＲ、左右後輪４６，４８のブレーキシリンダ５２ＲＬ，ＲＲは、それぞれ、個別通路１００ＦＬ，ＦＲ，ＲＬ，ＲＲを介して共通通路１０２に接続される。
個別通路１００ＦＬ，ＦＲ，ＲＬ，ＲＲには、それぞれ、保持弁（ＳＨｉｊ：ｉ＝Ｆ，Ｒ、ｊ＝Ｌ，Ｒ）１０３ＦＬ，ＦＲ，ＲＬ，ＲＲが設けられ、ブレーキシリンダ４２ＦＬ，４２ＦＲ，５２ＲＬ，５２ＲＲとリザーバ７２との間には、それぞれ、減圧弁（ＳＲｉｊ：ｉ＝Ｆ，Ｒ、ｊ＝Ｌ，Ｒ）１０６ＦＬ，ＦＲ，ＲＬ，ＲＲが設けられる。
また、左前輪２に対応して設けられた保持弁１０３ＦＬが、ソレノイドのコイルに電流が供給（以下、単にソレノイドに電流が供給と略称する）されない場合に開状態にある常開の電磁開閉弁であり、残りの、右前輪４，左後輪４６、右後輪４８に対応して設けられた保持弁１０３ＦＲ，ＲＬ，ＲＲがソレノイドに電流が供給されない場合に閉状態にある常閉の電磁開閉弁である。
さらに、左右前輪２，４に対応して設けられた減圧弁１０６ＦＬ，ＦＲは常閉の電磁開閉弁であり、左右後輪４６，４８に対応して設けられた減圧弁１０６ＲＬ，ＲＲは常開の電磁開閉弁である。【００２３】
共通通路１０２には、ブレーキシリンダ４２，５２に加えて、第２液圧発生装置６４が制御圧通路１１０を介して接続される。
制御圧通路１１０に増圧リニア制御弁（ＳＬＡ）１１２が設けられ、制御圧通路１１０とリザーバ７２との間に減圧リニア制御弁（ＳＬＲ）１１６が設けられる。これら増圧リニア制御弁１１２，減圧リニア制御弁１１６の制御により、第２液圧発生装置６４の出力液圧が制御されて、共通通路１０２に供給される。増圧リニア制御弁１１２，減圧リニア制御弁１１６により出力液圧制御装置１１８が構成される。また、増圧リニア制御弁１１２、減圧リニア制御弁１１６は、出力液圧制御弁と称することができる。増圧リニア制御弁１１２，減圧リニア制御弁１１６は、いずれもソレノイドに電流が供給されない場合に閉状態にある常閉の電磁開閉弁であり、ソレノイドへの供給電流の大きさの連続的な制御により、出力液圧の大きさが連続的に制御される。
図４(a)に示すように、増圧リニア制御弁１１２，減圧リニア制御弁１１６は、いずれも、弁子１２０と弁座１２２とを含むシーティング弁と、スプリング１２４と、ソレノイド１２６とを含み、スプリング１２４の付勢力Ｆｓは、弁子１２０を弁座１２２に接近させる向きに作用し、ソレノイド１２６に電流が供給されることにより駆動力Ｆｄが弁子１２０を弁座１２２から離間させる向きに作用する。また、増圧リニア制御弁１１２において、第２液圧発生装置６４と共通通路１０２との差圧に応じた差圧作用力Ｆｐが弁子１２０を弁座１２２から離間させる向きに作用し、減圧リニア制御弁１１６において、共通通路１０２（制御圧通路１１０）とリザーバ７２との差圧に応じた差圧作用力Ｆｐが作用する（Ｆｄ＋Ｆｐ：Ｆｓ）。いずれにしても、ソレノイド１２６への供給電流の制御により、差圧作用力Ｆｐが制御され、共通通路１０２の液圧が制御される。
また、図４(b)には、ソレノイド１２６への供給電流Ｉと開弁圧との関係である増圧リニア制御弁１１２の特性を示す。図４(b)から、増圧リニア制御弁１１２を閉状態から開状態に切り換える場合に、供給電流Ｉが小さい場合は大きい場合より前後の差圧を大きくする必要があることがわかる。例えば、ソレノイド１２６に電流が供給されていない状態において、前後の差圧が開弁圧Ｐｏより小さい場合には、閉状態から開状態に切り換えられることはない。なお、減圧リニア制御弁１１６の特性も同様である。【００２４】
一方、第１，第２マスタ通路７０ａ，７０ｂが、それぞれ、右前輪４，左前輪２の個別通路１００ＦＲ，ＦＬの保持弁１０３ＦＲ，ＦＬの下流側（保持弁１０３ＦＲ，ＦＬとブレーキシリンダ４２ＦＲ，ＲＬとの間の部分）に接続される。第１，第２マスタ通路７０ａ，７０ｂは共通通路１０２に接続されることなく、直接ブレーキシリンダ４２ＦＲ，４２ＦＬに接続されるのである。
第１，第２マスタ通路７０ａ、７０ｂの途中にそれぞれ第１，第２マスタ遮断弁（ＳＭＣＦＲ，ＦＬ）１３４ＦＲ，ＦＬが設けられる。第１，第２マスタ遮断弁１３４ＦＲ，ＦＬは、それぞれ、常開の電磁開閉弁であり、マニュアル遮断弁に対応する。
さらに、第２マスタ通路７０ｂには、ストロークシミュレータ１４０がシミュレータ制御弁１４２を介して接続される。シミュレータ制御弁１４２は常閉の電磁開閉弁である。前述のように、リターンスプリング７３ｂの方がリターンスプリング７３ａよりセット荷重が小さくされているため、ブレーキペダル６０に操作力が加えられると、先に、リターンスプリング７３ｂが収縮させられる。そのため、第２加圧室６９ｂに接続された第２マスタ通路７０ｂにストロークシミュレータ１４０が設けられるのである。【００２５】
制御圧通路１１０のアキュムレータ６６の接続部と前記増圧リニア制御弁１１２との間の部分と、前記第２マスタ通路７０ｂの前記ストロークシミュレータ１４０が接続された部分と前記第２マスタ遮断弁１３４ＦＬとの間の部分とが連結通路１４４によって接続される。
また、連結通路１４４に第２液圧発生装置６４の液圧が前記第２マスタ通路７０ｂの液圧より設定圧Ｐｒ以上大きくなると、第２液圧発生装置６４から第２マスタ通路７０ｂへの作動液の流れを許容するリリーフ弁１４６が設けられる。設定圧Ｐｒは、リリーフ弁１４６のスプリングのセット荷重で決まるのであり、リリーフ弁１４６の開弁圧、リリーフ圧と称することができる。設定圧Ｐｒは、増圧リニア制御弁１１２の開弁圧Ｐｏより小さいが、アキュムレータ６６に蓄えられる作動液の上限値Ｐａｃｃｕより大きい。
Ｐｒ＜Ｐｏ
Ｐｒ＞Ｐａｃｃｕ
そのため、当該液圧ブレーキシステムが正常であり、アキュムレータ圧が設定範囲内に保たれるようにポンプモータ５５が制御されている間、ブレーキシリンダ４２，５２の液圧が、第２液圧発生装置６４の液圧を利用して制御されている間に、アキュムレータ６６からリリーフ弁１４６を経て作動液が第２マスタ通路７０ｂに流れないようにされている。【００２６】
以上のように、本実施例においては、ポンプモータ５５，出力液圧制御装置１１８、マスタ遮断弁１３４，保持弁１０３，減圧弁１０６等により液圧制御部５４が構成される。
また、第２加圧室６９ｂ、第２マスタ通路７０ｂ、個別通路１００ＦＬ、共通通路１０２等によってマニュアル関連ブレーキ系統１４８が構成され、マニュアル関連ブレーキ系統１４８のうちの第２マスタ通路７０ｂ、個別通路１００ＦＬ、共通通路１０２等によって連通装置が構成される。
第２液圧発生装置６４は、マニュアル関連ブレーキ系統１４８のうちの共通通路１０２に増圧リニア制御弁１１２を介して接続されるとともに、第２マスタ通路７０ｂにリリーフ弁１４６を介して接続されるのであり、第２液圧発生装置６４とマニュアル関連ブレーキ系統１４８との間には、互いに並列に、増圧リニア制御弁１１２とリリーフ弁１４６とが設けられる。【００２７】
ブレーキＥＣＵ５６は、図１に示すように、実行部（ＣＰＵ）１５０，入力部１５１，出力部１５２，記憶部１５３等を含むコンピュータを主体とするものであり、入力部１５１には、ブレーキスイッチ１５８，ストロークセンサ１６０，マニュアル液圧センサとしてのマスタシリンダ圧センサ１６２，アキュムレータ圧センサ１６４，ブレーキシリンダ圧センサ１６６，レベルウォーニング１６８，車輪速度センサ１７０，ドア開閉スイッチ１７２，イグニッションスイッチ１７４等が接続される。
ブレーキスイッチ１５８は、ブレーキペダル６０が操作されるとＯＦＦからＯＮになるスイッチであり、本実施例においては、ブレーキペダル６０の後退端位置からの前進量が予め定められた設定量以上である場合にＯＮ状態となる。
ストロークセンサ１６０は、ブレーキペダル６０の操作ストローク（ＳＴＫ）を検出するものであり、本実施例においては、２つのセンサが設けられ、同様に、ブレーキペダル６０の操作ストローク（後退端位置からの隔たり）が検出される。このように、ストロークセンサ１６０について２系統とされており、２つのセンサのうちの一方が故障しても他方によりストロークを検出することが可能となる。
マスタシリンダ圧センサ１６２は、マスタシリンダ６２の第２加圧室６８ｂの液圧を検出するものであり、第２マスタ通路７０ｂに設けられる。前述のように、リターンスプリング７３ｂの方がリターンスプリング７３ａよりセット荷重が小さいため、リターンスプリング７３ｂの方がリターンスプリング７３ａより早く収縮させられ、第２加圧室６８ｂの方が早く液圧が増加させられる。そのため、第２マスタ通路７０ｂにマスタシリンダ圧センサ１６２を設ければ、マスタシリンダ６２の液圧の検出遅れを抑制することができる。【００２８】
アキュムレータ圧センサ１６４は、アキュムレータ６６に蓄えられている作動液の圧力（ＰＡＣＣ）を検出するものである。
ブレーキシリンダ圧センサ１６６は、ブレーキシリンダ４２，５２の液圧（ＰＷＣ）を検出するものであり、共通通路１０２に設けられる。保持弁１０３の開状態において、ブレーキシリンダ４２，５２と共通通路１０２とが連通させられるため、共通通路１０２の液圧をブレーキシリンダ４２，５２の液圧とすることができる。また、共通通路１０２には出力液圧制御装置１１８によって制御された第２液圧発生装置６４の液圧が供給されるため制御圧センサと称することもできる。
レベルウォーニング１６８は、リザーバ７２に収容された作動液が予め定められた設定量以下になるとＯＮとなるスイッチである。本実施例においては、複数の収容室のうちいずれか１つに収容された作動液量が設定量以下になると、ＯＮとなる。
車輪速度センサ１７０は、左右前輪２，４、左右後輪４６，４８に対応してそれぞれ設けられ、車輪の回転速度を検出する。また、４輪の回転速度に基づいて車両の走行速度が取得される。
ドア開閉スイッチ１７２は、車両に設けられたドアの開閉を検出するものである。運転席側のドアの開閉を検出するものであっても、その他のドアの開閉を検出するものであってもよい。例えば、ドアカーテシランプスイッチをドア開閉スイッチとすることができる。
イグニッションスイッチ（ＩＧＳＷ）１７４は、車両のメインスイッチである。
また、出力部１５２には、液圧制御部５４の増圧リニア制御弁１１２、減圧リニア制御弁１１６，保持弁１０３，減圧弁１０６，マスタ遮断弁１３４，シミュレータ制御弁１４２等ブレーキ回路に含まれるすべての電磁開閉弁（以下、単にすべての電磁開閉弁と略称することがある）のソレノイド、ポンプモータＥＣＵ５７等が接続される。
さらに、記憶部には、種々のプログラム、テーブル等が記憶されている。【００２９】
ポンプモータＥＣＵ５７も、実行部、記憶部、入力部、出力部等を含むコンピュータを主体とするものであり、入力部には、ブレーキスイッチ１５８，ブレーキＥＣＵ５６の入力部１５１，出力部１５２，ＣＰＵ１５０が接続され、出力部１５２には、ポンプモータ５５の図示しない駆動回路が接続される。
ポンプモータＥＣＵ５７においては、ブレーキＥＣＵ５６の入力部１５１，出力部１５２，ＣＰＵ１５０の状態（例えば、電流値、電圧値等の電気信号）が検出されて、これらが正常に作動しているか否かが判定される。
後述するように、ポンプモータＥＣＵ５７は、ブレーキＥＣＵ５６等が異常であってもポンプモータ５５を制御する。例えば、(1)ブレーキスイッチ１５８がＯＮであり、かつ、ブレーキＥＣＵ５６から当該液圧ブレーキシステムの制御系が異常であることを表す情報が供給された場合、(2)ブレーキスイッチ１５８がＯＮであり、かつ、ブレーキＥＣＵ５６が正常に作動していない場合（例えば、ブレーキＥＣＵ５６自体の異常、ブレーキＥＣＵ５６と各センサとの間の信号線が断線した場合、ブレーキＥＣＵ５６とソレノイドとの間の信号線が断線した場合等が該当する）に、異常時制御開始条件が満たされたとして、ポンプモータ５５の制御を正常時とは異なる態様で開始する。【００３０】
＜イニシャルチェック＞
本実施例において、予め定められた検査開始条件が満たされた場合にイニシャルチェックが行われる。例えば、ドア開閉スイッチ１７２がＯＮにされたこと、イグニッションスイッチ１７４がＯＮにされてから、最初にブレーキ操作が行われたこと等が検査開始条件とされる。
図５のフローチャートで表されるイニシャルチェックプログラムは予め定められた設定時間毎に実行される。
ステップ１（以下、Ｓ１と略称する。他のステップについても同様とする。）において、予め定められた検査開始条件が満たされたか否かが判定される。検査開始条件が満たされた場合には、Ｓ２において、制御系のチェックが行われ、Ｓ３において、液漏れの可能性のチェックが行われる。制御系には、ブレーキシリンダ液圧の制御に利用される構成要素、例えば、各センサ、電磁開閉弁等が含まれる。
制御系の異常検出においては、例えば、すべての電磁開閉弁の各々において断線が生じていないか否か、各センサ（ブレーキスイッチ１５８，ストロークセンサ１６０、マスタシリンダ圧センサ１６２、アキュムレータ圧センサ１６４，ブレーキシリンダ圧センサ１１６６，車輪速度センサ１７０等）において断線が生じていないか否かが判定される。【００３１】
液漏れの可能性有無のチェックは、イグニッションスイッチ１７４がＯＮになった場合、ブレーキ操作が行われた場合等に行われる。例えば、(a)レベルウォーニングスイッチ１６８がＯＮである場合、(b)ブレーキ操作が行われた場合において、ブレーキペダル６０のストロークとマスタシリンダ６２の液圧との間に予め定められた関係が成立する場合には液漏れがないとされるが、マスタシリンダ６２の液圧がストロークに対して小さい場合には液漏れの可能性が有るとされる。また、(c)ポンプ９０が予め定められた設定時間以上継続して作動してもアキュムレータ圧センサ１６４の検出値が液漏れ判定しきい値に達しない場合、(d)回生協調制御が行われていない場合において、マスタシリンダ圧センサ１６２の検出値に対してブレーキシリンダ圧センサ１６６の検出値が小さい場合、(e)前回のブレーキ作動時に、液漏れの可能性が有ると検出された場合（左右前輪２，４のブレーキシリンダ４２にマスタシリンダ６２の液圧が供給され、左右後輪４６，４８のブレーキシリンダ５２にポンプ圧が供給された場合）等には、液漏れの可能性が有るとされる。
このように、本実施例においては、(a)〜(e)の条件に基づいて液漏れの可能性の有無が検出される。そのため、液漏れの可能性が有ると検出された場合であっても、液漏れが実際に生じていない場合がある｛液漏れ以外の原因によって、上述の(b)〜(e)の条件が満たされる場合があり得る｝。また、実際に液漏れがあっても、液漏れ量が僅かである場合もある。しかし、これらの場合であっても、液漏れの可能性が無いと断定することはできないため、液漏れの可能性が有るとされるのである。【００３２】
＜ブレーキ液圧制御＞
そして、イニシャルチェックの結果に基づいて、ブレーキシリンダ４２，５２の液圧が制御される。図６のフローチャートで表されるブレーキ液圧制御プログラムは予め定められた設定時間毎に実行される。
Ｓ１１において、制動要求があるか否か、例えば、ブレーキスイッチ１５８がＯＮである場合、あるいは、自動ブレーキを作動させる要求がある場合等には制動要求があるとされて、判定がＹＥＳとなる。自動ブレーキは、トラクション制御、ビークルスタビリティ制御において作動させられる場合があり、これらの制御開始条件が満たされた場合に、制動要求があるとされる。
制動要求がある場合には、Ｓ１２、１３において、液漏れの可能性があるか否か、制御系が異常であるか否かの判定結果が読み込まれる。
いずれの判定もＮＯであり、当該液圧ブレーキシステムが正常である場合（本実施例においては、制御系が正常で、かつ、液漏れの可能性が無いとされた場合）には、Ｓ１４において、回生協調制御が行われる。
制御系が異常である場合には、Ｓ１３の判定がＹＥＳとなり、Ｓ１５において、すべての電磁開閉弁のソレノイドに電流が供給されなくなることにより図２の原位置に戻される。また、制御系異常情報がポンプモータＥＣＵ５７に出力される。
液漏れの可能性が有ると検出された場合には、Ｓ１２の判定がＹＥＳとなり、Ｓ１６において、左右前輪２，４のブレーキシリンダ４２にマスタシリンダ６２の液圧が供給され、左右後輪４６，４８のブレーキシリンダ５２に出力液圧制御装置１１８によって制御された液圧が供給される状態とされる。
制御系が異常であり、かつ、液漏れの可能性が有るのは稀であるため、液漏れの可能性が有るとされても制御系は正常であり、各電磁開閉弁の制御、ポンプモータ５５の駆動は可能であると考えられる。
このように、本実施例において、制御系が異常である場合、液漏れの可能性が有る場合には、回生協調制御が行われないようにされている。
また、制御系が異常であるとされた場合、液漏れの可能性が有るとされた場合には自動ブレーキは作動させられないようにされている。
さらに、当該液圧ブレーキシステム全体の失陥時、例えば、電源電圧がダウンして電気エネルギを全く供給できなくなった場合等には、ポンプモータ５５は停止させられ、各電磁開閉弁が原位置に戻される。【００３３】
１）システムが正常な場合
前後左右の４輪２，４，４６，４８のブレーキシリンダ４２，５２には、第２液圧発生装置６４の液圧が制御されて供給される（ポンプ加圧）のであり、原則として回生協調制御が行われる。
回生協調制御は、駆動輪２，４に加わる回生制動トルクと、駆動輪２，４と従動輪４６，４８との両方に加わる摩擦制動トルクとの和である総制動トルクが総要求制動トルクとなるように行われる制御である。
ブレーキＥＣＵ５６において、総要求制動トルクが決定される。総要求制動トルクは、ストロークセンサ１６０，マスタシリンダ圧センサ１６２の検出値等に基づいて取得される場合（運転者が要求する制動トルク）、車両の走行状態に基づいて取得される場合（トラクション制御、ビークルスタビリティ制御において必要な制動トルク）等がある。そして、ハイブリッドＥＣＵ５８から供給された情報（駆動用モータ２０の回転数等に基づいて決まる回生制動トルクの上限値である発電側上限値、蓄電装置２２の充電容量等に基づいて決まる上限値である蓄電側上限値）と、上述の総要求制動トルク（要求値）とのうちの最小値が要求回生制動トルクとして決定され、この要求回生制動トルクを表す情報がハイブリッドＥＣＵ５８に供給される。
ハイブリッドＥＣＵ５８において、要求回生制動トルクを表す情報を出力し、駆動用モータＥＣＵ２８に供給される。
駆動用モータＥＣＵ２８において、駆動用モータ２０によって左右前輪２，４に加えられる制動トルクが要求回生制動トルクとなるように、電力変換装置２６に制御指令を出力する。駆動用モータ２０は、電力変換装置２６によって制御される。
駆動用モータ２０の実際の回転数等の作動状態を表す情報が出力され、ハイブリッドＥＣＵ５８に供給される。ハイブリッドＥＣＵ５８において、駆動用モータ２０の実際の作動状態に基づいて実際に得られた実回生制動トルクが求められ、その実回生制動トルク値を表す情報がブレーキＥＣＵ５６に供給される。
ブレーキＥＣＵ５６において、総要求制動トルクから実回生制動トルクを引いた値等に基づいて要求液圧制動トルクを決定し、ブレーキシリンダ液圧が要求液圧制動トルクに対応する目標液圧に近づくように、増圧リニア制御弁１１２，減圧リニア制御弁１１６等が制御される。【００３４】
回生協調制御においては、図７に示すように、原則として、前後左右の各輪２，４，４６，４８の保持弁１０３ＦＬ，ＦＲ，ＲＬ，ＲＲがすべて開状態とされ、減圧弁１０６ＦＬ，ＦＲ，ＲＬ，ＲＲがすべて閉状態とされる。また、マスタ遮断弁１３４ＦＬ，ＦＲが閉状態とされ、シミュレータ制御弁１４２が開状態とされる。左右前輪２，４のブレーキシリンダ４２ＦＬ、ＦＲがマスタシリンダ６２から遮断された状態で、前後左右の各輪２，４，４６，４８のブレーキシリンダ４２，５２は共通通路１０２に連通させられる。増圧リニア制御弁１１２，減圧リニア制御弁１１６が制御され、その制御圧が共通通路１０２に供給され、４輪のブレーキシリンダ４２，５２に供給される。
なお、この状態で、車輪２，４，４６，４８の制動スリップが過大となり、アンチロック制御開始条件が満たされると、保持弁１０３、減圧弁１０６が別個独立にそれぞれ開閉させられ、各ブレーキシリンダ４２，５２の液圧が制御される。前後左右の各輪２，４，４６，４８のスリップ状態が適正な状態とされる。原則として、スリップが過大である車輪に対応して設けられた保持弁１０３，減圧弁１０６が制御されるが、アンチロック制御においては、スリップが過大ではない車輪の保持弁１０３，減圧弁１０６が制御される場合もある。いずれにしても、保持弁１０３，減圧弁１０６は、アンチロック制御等のスリップ制御の制御対象バルブとされるのである。
また、液圧ブレーキシステムが電気的駆動装置６を備えていない車両に搭載された場合等回生協調制御が行われない車両においては、総要求制動トルクと液圧制動トルクとが等しくなるように、出力液圧制御装置１１８が制御される。【００３５】
２）制御系が異常である場合（ブレーキＥＣＵ５６が異常である場合を含む）
図８に示すように、すべての電磁開閉弁は原位置に戻される。そして、ポンプモータ５５が図１０のフローチャートで表される異常時ポンプモータ制御プログラムに従って制御される。
増圧リニア制御弁１１２，減圧リニア制御弁１１６は、ソレノイド１２６に電流が供給されないことにより閉状態とされて、第２液圧発生装置６４が共通通路１０２から遮断される。
保持弁１０３ＦＬは開状態にあり、保持弁１０３ＦＲ，ＲＬ，ＲＲは閉状態にある。また、左右前輪２，４の減圧弁１０６ＦＬ，ＦＲは閉状態にあり、左右後輪４６，４８の減圧弁１０６ＲＬ，ＲＲは開状態にある。さらに、第１，第２マスタ遮断弁１３４ＦＲ，ＦＬは開状態にある。【００３６】
制御系が異常であっても、ポンプモータ５５が正常に作動可能な状態である場合には、ポンプモータＥＣＵ５７によってポンプモータ５５が予め定められたパターンに従って作動させられ、ポンプ９０から作動液が吐出される。
ポンプ９０から吐出された作動液の液圧と第２マスタ通路７０ｂの液圧との差圧が、リリーフ弁１４６の設定圧Ｐｒより大きくなると、閉状態にあるリリーフ弁１４６が開状態に切り換えられて、ポンプ９０から吐出された作動液が第２マスタ通路７０ｂに供給される。第２マスタ通路７０ｂに供給された液圧は、開状態にある第２マスタ遮断弁１３４ＦＬを経て左前輪２のブレーキシリンダ４２ＦＬに供給されるとともに、マスタシリンダ６２の第２加圧室６９ｂに供給される。
第２加圧室６９ｂに供給される作動液の液圧は、ポンプ９０から吐出された作動液の液圧よりリリーフ弁１４６の設定圧Ｐｒ分だけ低い。
なお、ブレーキペダル６０の操作によって、マスタシリンダ６２の第１，第２加圧室６９ａ，ｂに液圧が発生させられるが、保持弁１０３ＦＬ、第２マスタ遮断弁１３４ＦＬが開状態にあることから、第２加圧室６９ｂの液圧と、共通通路１０２の液圧とは同じである。このことから、ポンプ９０の吐出圧が、共通通路１０２，第２加圧室６９ｂの液圧より設定圧Ｐｒ以上高くされることにより、増圧リニア制御弁１１２が開状態にされるのではなく、リリーフ弁１４６が開状態にされることになる。
第２加圧室６９ｂの液圧が増加させられると、第２加圧ピストン６８ｂを後退させる向きに力が作用し、第１加圧室６９ａの液圧が増加させられる。第１加圧室６９ａの液圧は第１マスタ通路７０ａを経て右前輪４のブレーキシリンダ４２ＦＲに供給される。保持弁１０３ＦＲは閉状態にあるため、ブレーキシリンダ４２ＦＲは、共通通路１０２から遮断されており、右前輪４のブレーキシリンダ４２ＦＲの液圧は高くなる。
本実施例においては、マスタシリンダ６２において第１，第２加圧ピストン６８ａ，ｂの間に伸長規制部７７が設けられるため、第１加圧室６９ａに作動液が供給されても、第２加圧ピストン６９ｂの前進が、伸長規制部７７で制限される。それに対して、第２加圧ピストン６８ｂの後退は伸長規制部７７によって制限を受けない。そこで、第２加圧ピストン６８ｂの前方の第２加圧室６９ｂに液圧が供給されるようにしたのである。【００３７】
第２加圧室６９ｂに液圧を供給することにより、ブレーキペダル６０に加えられた操作力が同じ場合に、第１，第２加圧室６９ａ，ｂの液圧が高くなる理由を説明する。
マスタシリンダ６２において、ブレーキペダル６０が踏み込まれると、第１、第２加圧室６９ａ，６９ｂに発生させられる液圧Ｐｍｃａ、Ｐｍｃｂは、それぞれ、式
Ｐｍｃａ・Ａ＝Ｆ−Ｆｓａ−Ｆμａ・・・(1)
Ｐｍｃｂ・Ａ＝Ｐｍｃａ・Ａ−（Ｆｓｂ−Ｆｓａ）−Ｆμｂ・・・(2)
で表される大きさとなる。
ここで、Ａは、第１，第２加圧ピストン６８ａ，６８ｂの受圧面積（本実施例においては、第１、第２加圧ピストン６８ａ，６８ｂの受圧面積は同じ大きさとされている）であり、Ｆはブレーキペダル６０に加えられた操作力に起因して第１加圧ピストン６８ａに加えられる力（以下、単に操作力と略称する）である。また、Ｆｓａ、Ｆｓｂは、スプリング７３ａ，７３ｂの付勢力であり、Ｆμａ、Ｆμｂは加圧ピストン６８ａ，６８ｂとハウジング６７との間に生じる摩擦力である。
通常、図９(b)が示すように、ハウジング６７と加圧ピストン６８ａ，ｂとの間に発生させられる摩擦力に起因して、操作力Ｆと第１，第２加圧室６９ａ，６９ｂの液圧Ｐｍｃａ，Ｐｍｃｂとの間には、ヒステリシスを有する関係が成立する。
操作力Ｆの増加に伴って、第１，第２加圧ピストン６８ａ，ｂが摩擦力に抗して前進させられるが、操作力が緩められると、第１、第２加圧室６９ａ，ｂの液圧により第１，第２ピストン６８ａ，ｂには後退方向の力が作用し、戻される。操作力Ｆが増加する場合と減少する場合とで、摩擦力の向きは逆になる。そのため、操作力が保持から減少させられても、第１、第２加圧室６９ａ，ｂの液圧は保持されるのであり、摩擦力に応じた分だけヒステリシスが生じる。【００３８】
同様に、ポンプモータ５５の制御により、第２加圧室６９ｂに液圧が供給される場合には、第１，第２加圧ピストン６８ａ，ｂを後退させようとする力が作用する。そのため、第１，第２加圧室６９ａ，ｂの液圧Ｐｍｃａ′、Ｐｍｃｂ′は、それぞれ、式
Ｐｍｃａ′・Ａ＝Ｆ−Ｆｓａ＋Ｆμａ・・・(3)
Ｐｍｃｂ′・Ａ−Ｆμｂ＝Ｐｍｃａ′・Ａ−（Ｆｓｂ−Ｆｓａ）・・・(4)
で表される大きさとなる。
(3)、(4)式と、(1)、(2)式とを比較すると明らかなように、操作力Ｆが同じ場合に、(3)、(4)式に示す場合の方が、第１，第２加圧室６９ａ，ｂの液圧が高くなる。
Ｐｍｃａ′＞Ｐｍｃａ
Ｐｍｃｂ′＞Ｐｍｃｂ
例えば、図９(a)に示すように、操作力ＦがＦ０の場合に、ポンプモータ５５が作動させられて、第２加圧室６９ｂに液圧が供給されたと仮定する。操作力Ｆ０が保持されていたとしても、第１，第２加圧室６９ａ，ｂの液圧は、摩擦力に応じた力だけ第２加圧室６９ｂに液圧が供給されない場合に比較して大きくなるのである。【００３９】
本実施例においては、ポンプモータ５５の回転数が図９(c)に示すパターンで制御される。異常時制御開始条件が満たされた時から第１設定時間Δｔ１の間、第１設定回転数Ｒ１とされ、第１設定時間Δｔ１が経過した後に、第２設定回転数Ｒ２（Ｒ２＜Ｒ１）とされる。また、ブレーキスイッチ１５８がＯＦＦにされた後、第２設定時間Δｔ２が経過すると異常時制御終了条件が満たされたとされて、ポンプモータ５５が停止させられる。
第１設定回転数Ｒ１は、速やかにポンプ９０の吐出圧がリリーフ弁１４６を閉状態から開状態に切換え得、かつ、第２加圧室６９ｂに供給可能な高さに達し得る大きさに設定される。
第１設定時間Δｔ１は、ポンプ９０から大流量での作動液の吐出が要求される時間である。
また、ポンプ９０の吐出圧がリリーフ弁１４６を開弁させ得る大きさになった後には、ポンプ９０から吐出される作動液の流量を大きくする必要性は低いため、回転数が第２設定回転数Ｒ２まで低下させられる。ポンプ９０から吐出される作動液の流量がほぼ設定値に保たれるのであり、マスタシリンダに供給される作動液の流量がほぼ設定値に保たれる。
そして、ブレーキスイッチ１５８がＯＦＦにされてもポンプモータ５５が継続して作動させられるのは、ブレーキスイッチ１５８がＯＦＦになってもブレーキペダル６０は完全に戻されていないため、その間においてブレーキ力が小さくなることを防止するためである。
すなわち、ポンプ９０の作動中において、操作力Ｆが緩められると、第１，第２加圧ピストン６８ａ，ｂの後退により、リザーバ遮断弁８２，８３が開状態に切り換えられ、第１，第２加圧室６９ａ，ｂがリザーバ７２に連通させられて、液圧が低下する。それに対して、操作力Ｆが再び大きくされると、第１，第２加圧ピストン６８ａ，ｂが前進させられ、リザーバ遮断弁８２，８３が閉状態に切り換えられて、第２加圧室６９ａ，ｂの液圧が高くなる。このように、本実施例においては、第２設定回転数Ｒ２が、操作力Ｆによって第１加圧室６９ａとリザーバ７２との連通・遮断を制御でき、第１，第２加圧室６８ａ，ｂの液圧が制御可能な大きさとされるのである。【００４０】
この場合の第１，第２加圧室６９ａ，ｂの液圧は、式
Ｐｍｃａ″・Ａ＝Ｆ−Ｆｓａ＋Ｆμａ・・・(5)
Ｐｍｃｂ″・Ａ−Ｆμｂ＝Ｐｍｃａ″・Ａ−（Ｆｓｂ−Ｆｓａ）・・・(6)
Ｑ＝Ｃｄ・Ａｇ・（２・Ｐｍｃａ″／ρ）1/2  ・・・(7)
で表される大きさとなる。なお、Ａｇはリザーバ遮断弁８２の開口面積、Ｃｄは連通路を流れる作動液の流量係数、Ｑは連通路を流れる流量である。
(5)〜(7)式から、流量Ｑが設定値である状態において、リザーバ遮断弁８２の開口面積Ａｇを調節することにより、第１，第２加圧室６９ａ，ｂの液圧Ｐｍｃａ″，Ｐｍｃｂ″を調節し得ることがわかる。【００４１】
図１０のフローチャートで表される異常時ポンプモータ制御プログラムは、予め定められた設定時間毎に実行される。
Ｓ２１において、制御系異常情報が供給されたか否か、ブレーキＥＣＵ５６が異常であるか否か等（これらを、単に異常と称する）が判定される。異常である場合には、Ｓ２２において、ブレーキスイッチ１５８がＯＮであるか否かが判定され、ＯＮである場合には、Ｓ２３，２４において、ポンプモータ５５が第１設定回転数Ｒ１で作動しているか否か、第２設定回転数Ｒ２で作動しているか否かが判定される。ポンプモータ５５が停止状態にある場合には、Ｓ２５において、ポンプモータ５５が第１設定回転数Ｒ１で回転始動させられる。その後、Ｓ２６において、第１設定時間Δｔ１が経過したか否かが判定される。最初にＳ２６が実行された場合には、判定がＮＯであるため、Ｓ２１の実行に戻される。
この場合には、ポンプモータ５５が第１設定回転数Ｒ１で回転しているため、ブレーキスイッチ１５８がＯＮである場合には、Ｓ２３の判定がＹＥＳとなり、Ｓ２６において、第１設定時間Δｔ１が経過したか否かが判定される。以下、Ｓ２１，２２，２３，２６が繰り返し実行され、第１設定時間Δｔ１が経過すると、Ｓ２６の判定がＹＥＳとなって、Ｓ２７において、回転数がＲ２とされる。【００４２】
次に、ポンプモータ５５が回転数Ｒ２で回転している場合において、ブレーキスイッチ１５８がＯＮである場合には、Ｓ２４の判定がＹＥＳとなり、ポンプモータ５５の回転数Ｒ２での回転状態が維持される。
Ｓ２１〜２４が繰り返し実行されるうちに、ブレーキスイッチ１５８がＯＦＦになると、Ｓ２２の判定がＮＯとなり、Ｓ２８において、回転数Ｒ２で回転しているか否かが判定され、回転している場合には、Ｓ２９において、第２設定時間Δｔ２が経過したか否かが判定される。経過する以前においては、Ｓ２１，２２，２８，２９が繰り返し実行されるが、ブレーキスイッチ１５８がＯＦＦにされてから、第２設定時間Δｔ２が経過すると、Ｓ２９の判定がＹＥＳとなって、Ｓ３０において、ポンプモータ２８が停止させられる。
それに対して、ポンプモータ５５が始動させられた後、第１設定時間Δｔ１が経過する前に、ブレーキスイッチ１５８がＯＦＦにされた場合には、Ｓ２８の判定がＮＯとなり、Ｓ３０において、ポンプモータ５５が停止させられる。
また、ブレーキスイッチ１５８がＯＦＦであり、かつ、ポンプモータ５５が停止している状態においては、異常であっても、Ｓ２１，２２，２８，３０が繰り返し実行され、ポンプモータ５５は停止状態に保持される。【００４３】
以上のように、本実施例においては、制御系の異常時に、ポンプモータ５５が作動させられるため、ブレーキシリンダ４２ＦＬ、ＦＲの液圧を操作力Ｆに対応する液圧（第２加圧室６９ｂに液圧が逆流されない場合の第１，第２加圧室６９ａ，ｂの液圧）より大きくすることができる。回生制動トルクが加えられない場合であっても、液圧制動トルクの低下を抑制することができる。
また、異常時に増圧リニア制御弁１１２を経て作動液が共通通路１０２に供給されるようにする場合に比較して、増圧リニア制御弁１１２に大きな差圧が作用する回数を減らすことが可能となり、増圧リニア制御弁１１２の寿命を長くすることができる。
さらに、アキュムレータ６６が設けられるため、ポンプ装置６５の作動によって生じる脈動が抑制される。その結果、第２加圧室６９ｂに供給される液圧の脈動を抑制することができる。
本実施例においては、リリーフ弁１４６と増圧リニア制御弁１１２とが、マニュアル関連ブレーキ系統１４８に対して互いに並列に設けられるため、増圧リニア制御弁１１２によって制御された液圧がリリーフ弁１４６を経てマニュアル関連ブレーキ系統１４８に供給されることはない。【００４４】
なお、制御系の異常が検出された場合のポンプモータ５５の制御の態様については、本実施例の態様に限定されない。
例えば、異常が検出された後には、ブレーキスイッチ１５８がＯＦＦである場合にも、ポンプモータ５５が連続して作動させられるようにすることもできる。その場合には、ブレーキシリンダ４２，５２の液圧の低下を良好に抑制することができる。ブレーキペダル６０が操作されていない場合には、第２加圧室６９ｂに供給された作動液はリザーバ７２に流出させられるため差し支えない。
また、制御系の異常時におけるポンプモータ５５の制御において、第１設定回転数Ｒ１、第１設定時間Δｔ１は、異常検出時の第２液圧発生装置６４の液圧（アキュムレータ圧センサ１６４の検出値）に基づいて決めることもできる。
さらに、第２設定回転数Ｒ２、すなわち、ポンプ９０から吐出される作動液の流量の設定値の大きさは問わない。例えば、運転者のブレーキペダル６０に加えられる操作力に基づいて決定することもできる。例えば、ブレーキ操作力が大きい場合には、大きなブレーキ力が要求されているため、設定値を大きくすることができる。【００４５】
一方、ブレーキＥＣＵ５６もポンプモータＥＣＵ５７も異常となった場合、電源が電気エネルギを供給できない異常となった場合には、図１１に示すようにすべての電磁開閉弁は原位置とされ、ポンプモータ５５は停止させられる。ブレーキペダル６０の操作に伴ってマスタシリンダ６２の第１，第２加圧室６９ａ，ｂに液圧が発生させられ、第１，第２マスタ通路７０ａ，ｂを介してブレーキシリンダ４２ＦＬ，ＦＲに供給される。【００４６】
３）液漏れの可能性が有ると検出された場合
図１２に示すように、左右前輪２，４の保持弁１０３ＦＬ，ＦＲは閉状態とされ、左右後輪４６，４８の保持弁１０３ＲＬ、ＲＲは開状態とされる。また、第１，第２マスタ遮断弁１３４ＦＬ，ＦＲは開状態とされ、シミュレータ制御弁１４２は閉状態とされる。さらに、すべての減圧弁１０６は閉状態とされる。
そして、左右前輪２，４のブレーキシリンダ４２ＦＬ，ＦＲには、マスタシリンダ６２の第１，第２加圧室６９ｂ、ａの液圧が供給され、左右後輪４６，４８のブレーキシリンダ５２ＲＬ，ＲＲには、制御された第２液圧発生装置６４の液圧が供給される。
このように、左前輪２のブレーキシリンダ４２ＦＬと、右前輪４のブレーキシリンダ４２ＦＲと、左右後輪４６，４８のブレーキシリンダ５２ＲＬ，ＲＲとに、互いに異なる液圧源から作動液が供給されるため、（左前輪のブレーキシリンダ４２ＦＬを含むブレーキ系統１８０ＦＬ）、（右前輪のブレーキシリンダ４２ＦＲを含むブレーキ系統１８０ＦＲ）、（左右後輪のブレーキシリンダ５２ＦＬ，ＲＲを含むブレーキ系統１８０Ｒ）の３つのブレーキ系統のいずれかに液漏れが生じても、他のブレーキ系統に影響が及び難くされ、より確実に液圧ブレーキを作動させることができる。
左前輪のブレーキ系統１８０ＦＬは、加圧室６９ｂ，ブレーキシリンダ４２ＦＬ，第２マスタ通路７０ｂ，個別通路１００ＦＬ等から構成されるものであり、前述のマニュアル関連ブレーキ系統１４８の一部によって構成される。右前輪のブレーキ系統１８０ＦＲは、加圧室６９ａ，ブレーキシリンダ４２ＦＲ，第１マスタ通路７０ａ，個別通路１００ＦＲ等から構成されるものであり、後輪のブレーキ系統１８０Ｒは、ブレーキシリンダ５２ＲＬ，ＲＲ，個別通路１００ＲＬ，ＲＲ，共通通路１０２，制御圧通路１１０，第２液圧発生装置６４等から構成されるものである。【００４７】
４）液圧ブレーキが解除される場合
ブレーキ操作が解除されると、すべての電磁開閉弁のソレノイドに電流が供給されなくなることにより、図２の原位置に戻される。
左右前輪のブレーキシリンダ４２ＦＬ，ＦＲの液圧は開状態にある第１，第２マスタ遮断弁１３４ＦＬ，ＦＲを経て、マスタシリンダ６２，リザーバ７２に戻され、左右後輪５２ＲＬ，ＲＲのブレーキシリンダ５２ＲＬ、ＲＲの液圧は開状態にある減圧弁１０６ＲＬ，ＲＲを経てリザーバ７２に戻される。【００４８】
以上のように、本実施例においては、イニシャルチェックの結果に応じて、ブレーキシリンダ４２，５２への液圧の供給状態が制御される。
制御系の異常には、ポンプモータ５５が作動させられるため、停止状態に保持される場合より高い液圧をブレーキシリンダ４２ＦＬ、ＦＲに供給することができる。その結果、車両全体の制動力不足を抑制することができる。
液漏れの可能性がある場合には、ブレーキ系統１８０ＦＬ，ＦＲ，Ｒが互いに遮断される。そのため、３つのブレーキ系統１８０ＦＬ，ＦＲ，Ｒのうちの１つに液漏れが生じていても、その影響が他のブレーキ系統に及ぶことを良好に回避することができる。また、液漏れが生じていないブレーキ系統においては、より確実に液圧ブレーキを作動させることが可能となる。
さらに、本実施例においては、保持弁１０３ＦＲ，１０３ＲＬ，１０３ＲＲが常閉の電磁開閉弁であるため、ソレノイドに電流が供給されない状態において、ブレーキシリンダ４２ＦＬ，ＦＲ，５２ＲＬ，ＲＲを互いに遮断することが可能となり、いずれか１つにおいて液漏れが生じていても他のブレーキシリンダに影響が及ばないようにすることができる。【００４９】
以上のように構成された液圧ブレーキシステムにおいて、ブレーキＥＣＵ５６の図６のフローチャートで表されるブレーキ液圧制御プログラムを記憶する部分、実行する部分等によりブレーキ液圧制御装置が構成される。また、ポンプモータＥＣＵ５７の図１０のフロチャートで表される異常時ポンプモータ制御プログラムを記憶する部分、実行する部分等により動力式液圧源制御装置が構成される。さらに、リリーフ弁１４６が流れ抑制装置に対応する。
また、第２マスタ通路７０ｂ、個別通路１００ＦＬの第２マスタ通路７０ｂの接続部よりブレーキシリンダ側の部分によってマニュアル通路が構成される。
さらに、第２マスタ通路７０ｂが一方の前輪用個別接続通路に対応し、保持弁１０３ＦＬが一方の前輪用個別制御弁に対応し、個別通路１００ＦＬが一方の前輪用個別通路に対応する。また、第１マスタ通路７０ａが他方の前輪用個別接続通路に対応し、保持弁１０３ＦＲが他方の前輪用個別制御弁に対応し、個別通路１００ＦＲは他方の前輪用個別通路に対応する。共通通路１０２は前輪用共通通路でもある。
第２液圧発生装置６４は、動力式液圧発生装置、蓄圧機能付き動力式液圧発生装置でもある。【００５０】
なお、マスタシリンダ６２は伸長規制部７７が設けられないものとすることができる。その場合には、液圧が第１加圧室に供給されるようにすることができる。
また、シミュレータ制御弁１４２は不可欠ではない。特に、小型車両において、ブレーキシリンダ４２，５２の容量が小さい場合には、ストロークシミュレータ１４０において作動液が消費されても差し支えないからである。
【実施例２】
【００５１】
実施例２に係る液圧ブレーキシステムにおいては、電源系が二重系とされる。その場合の一例を図１３に示す。
本実施例においては、ブレーキＥＣＵ５６，各センサ１６０〜１７４、すべての電磁開閉弁のソレノイド等はメイン電源１８８（蓄電装置２２と同じものであっても、異なるものであってもよい。）に接続され、ポンプモータＥＣＵ５７、ポンプモータ５５、ブレーキスイッチ１５８等にはメイン電源１８８とサブ電源１８９との両方が接続される。そのため、メイン電源１８８から電気エネルギを供給できない異常が生じた場合、メイン電源１８８を含む電気系統の異常が生じた場合であっても、サブ電源１８９が正常に電気エネルギを供給可能な状態にある場合には、ポンプモータ５５を作動させることが可能となり、ブレーキシリンダ４２ａ，ｂの液圧を大きくすることができる。
【実施例３】
【００５２】
実施例３に係る液圧ブレーキシステムのブレーキ回路を図１４に示す。
本実施例においては、連結通路１９０が制御圧通路１１０のアキュムレータ６６と増圧リニア制御弁１１２との間の部分と、第２マスタ通路７０ｂの第２マスタ遮断弁１３４ＦＬのブレーキシリンダ側の部分とを接続する状態で設けられる。また、実施例１における場合と同様に、連結通路１９０の途中に流れ抑制装置としてのリリーフ弁１９２が設けられる。
液圧ブレーキ４０，５０の作用中には原則として第２マスタ遮断弁１３４ＦＬは閉状態にある。そのため、実施例１における場合において、リリーフ弁１４６に液漏れが生じると、作動液が第２加圧室６９ｂに供給され、ブレーキペダル６０に力が加えられ、運転者は違和感を感じる。また、ブレーキペダル６０のストロークと加圧室６９ａ，ｂの液圧との関係において、加圧室６９ａ，ｂの液圧が高くなるため、正常であるにもかかわらず、異常であると誤判定されることがある。
それに対して、連結通路１９０が第２マスタ遮断弁１３４ＦＬの下流側に接続されれば、リリーフ弁１９２における漏れにより、第２液圧発生装置６４の作動液が第２マスタ通路７０ｂに供給されても、第２加圧室６９ｂに供給されることが防止されるため、運転者の違和感を軽減させることができる。ブレーキシリンダ４２に供給されても差し支えないのである。また、ストロークに対して加圧室６９ａ，ｂの液圧が高くなることが防止されるため、異常であるとの誤判定を防止することができる。
【実施例４】
【００５３】
実施例４の液圧ブレーキシステムのブレーキ回路を図１５に示す。
本実施例においては、第２液圧発生装置６４と共通通路１０２とが、増圧リニア制御弁１１２をバイパスして連結通路２００によって接続され、連結通路２００の途中に流れ抑制装置としてのリリーフ弁（実施例１における場合と同様のもの）２０２が設けられる。本実施例においては、第２液圧発生装置６４と共通通路１０２との間に、互いに並列に、増圧リニア制御弁１１２とリリーフ弁２０２とが設けられるのである。【００５４】
１）当該液圧ブレーキシステムの制御系の異常時には、すべてのソレノイドに電流が供給されなくなることにより、図１６に示す状態とされる。ポンプモータ５５の制御により、ポンプ９０から吐出された作動液の液圧と共通通路１０２の液圧との差がリリーフ弁２０２の設定圧Ｐｒより大きくなると、ポンプ９０から吐出された作動液が共通通路１０２に供給される。共通通路１０２に供給された作動液は、開状態にある個別制御弁１０３ＦＬを経てブレーキシリンダ４２ＦＬに供給されるとともに、開状態にある第２マスタ遮断弁１３４ＦＬを経て第２加圧室６９ｂに供給される。以下、同様に、第１加圧室６９ａの液圧が増圧され、ブレーキシリンダ４２ＦＲに供給される。
２）液漏れの可能性があると検出された場合には、図１７に示す状態とされる。実施例１における場合と同様に、保持弁１０３ＦＬ，ＦＲが閉状態とされ、減圧弁１０６ＲＬ，ＲＲが閉状態とされる。そして、左右前輪２，４のブレーキシリンダ４２ＦＬ，ＦＲには、それぞれ、マスタシリンダ６２の加圧室６９ｂ，ａから液圧が供給され、左右後輪４６，４８には第２液圧発生装置６４から供給される。
保持弁１０３ＦＬ，ＦＲが閉状態とされ、かつ、連結通路２００が共通通路１０２に接続されているため、左前輪２のブレーキシリンダ４２ＦＬを含むブレーキ系統２１０ＦＬと、右前輪４のブレーキシリンダ４２ＦＲを含むブレーキ系統２１０ＦＲと、左右後輪４６，４８のブレーキシリンダ５２ＲＬ，ＲＲを含むブレーキ系統２１０Ｒとを互いに遮断することができる。仮に、いずれかのブレーキ系統に液漏れが生じても、他のブレーキ系統に影響が及ばないようにすることができる。
【実施例５】
【００５５】
実施例５の液圧ブレーキシステムのブレーキ回路を図１８に示す。
本実施例においては、第２液圧発生装置６４と共通通路１０２とが連結通路２２０によって接続され、連結通路２２０の途中に流れ抑制装置としての電磁開閉弁２２２が設けられる。第２液圧発生装置６４と共通通路１０２との間に、互いに並列に、増圧リニア制御弁１１２と電磁開閉弁２２２とが設けられるのである。
電磁開閉弁２２２は、弁子、弁座、スプリングを含むシーティング弁と、ソレノイドとを含むものであり、構造としては、図４(a)に示すものと同様のものである。電磁開閉弁２２２は、弁子に第２液圧発生装置６４の液圧が作用する姿勢で配設される。ソレノイドに電流が供給されない間、スプリングの付勢力により弁子が弁座に押し付けられて閉状態にある。そのため、ソレノイドに電流が供給されない状態ではリリーフ弁として機能する。設定圧（開弁圧）は、スプリングのセット荷重で決まるが、電磁開閉弁２２２のスプリングのセット荷重は、図４(a)に示す増圧リニア制御弁１１２のスプリング１２４のセット荷重より小さい。
電磁開閉弁２２２は、リニア制御弁であっても単なる開閉弁であってもよい。
リニア制御弁とした場合には、ソレノイドへの供給電流の連続的な制御により、共通通路１０２の液圧を連続的に制御可能なものとすることができる。その場合には、回生協調制御が行われる場合において、増圧リニア制御弁１１２の代わりに電磁開閉弁２２２を利用することもできる。例えば、増圧リニア制御弁１１２と電磁開閉弁２２２とが選択的に使用されるようにしたり、予め定められた規則に従って使用されるようにしたりすることができる。いずれにしても、増圧リニア制御弁１１２の使用回数を減らすことができ、寿命を長くすることができる。また、両方使用すれば、その分、共通通路１０２に供給される作動液量を増やすことができ、ブレーキシリンダ４２，５２に供給可能な作動液の流量を大きくすることができる。
単なる開閉弁とした場合には、ソレノイドへの供給電流のデューティ制御により、共通通路１０２の液圧を細かに制御することができる。
【実施例６】
【００５６】
実施例６に係る液圧ブレーキシステムのブレーキ回路を図１９に示す。
本実施例において、第１液圧発生装置３００は、ハウジング３１０と、ハウジング３１０に液密かつ軸方向に摺動可能に嵌合された第１加圧ピストン３１２および第２加圧ピストン３１４と、中間ピストン３１６と、入力ピストン３１８とを含む。
入力ピストン３１８には、ブレーキペダル６０が連携させられ、ブレーキペダル６０が作用操作（液圧ブレーキ４０，５０を作用させるための操作）されると、入力ピストン３１８が前進可能とされている。【００５７】
中間ピストン３１６は概して有底円筒形状を成したものであり、内周側において入力ピストン３１８が軸方向に相対移動可能に嵌合されている。中間ピストン３１６と入力ピストン３１８とによって内部液圧室３２０が形成され、これら中間ピストン３１６と入力ピストン３１８との間にスプリング３２２が配設される。
なお、中間ピストン３１６と入力ピストン３１８との間の相対移動を規定するストッパが設けられ、入力ピストン３１８の中間ピストン３１６に対する前進端および後退端が規定される。
中間ピストン３１６は、ハウジング３１０に形成された段付きのシリンダボアに摺動可能に嵌合させられる。中間ピストン３１６の外周部には外周側に突出した環状の大径部（フランジ）３２６が設けられ、シリンダボアの大径部に位置する。その結果、中間ピストン３１６の後方に後方液圧室３３０が形成され、中間に環状室３３２が形成される。また、中間ピストン３１６の前方の第１加圧ピストン３１２との間に中間液圧室３３６が形成される。
なお、中間ピストン３１６の後方液圧室３３０に対する受圧面積ＳＲと中間液圧室３３６に対する受圧面積ＳＭとは同じとされており、後方液圧室３３０，中間液圧室３３６に同じ大きさの液圧が加えられた場合において、中間ピストン３１６がこれらの液圧により受ける力は同じ大きさとなる。
また、中間ピストン３１６の後退端位置において、中間ピストン３１６に形成された連通路３４０とハウジング３１０に形成されたリザーバポート３４２とが対向するため、内部液圧室３２０は、リザーバ７２に連通させられる。この状態において、入力ピストン３１８の中間ピストン３１６に対する軸方向の相対移動が許容され、入力ピストン３１８には、スプリング３２２の弾性力に応じた反力が加えられる。
中間ピストン３１６の前進によりリザーバポート３４２が塞がれると、内部液圧室３２０はリザーバ７２から遮断され、入力ピストン３１８の中間ピストン３１６に対する相対移動が阻止される。
環状室３３２は、リザーバポート３４４を介してリザーバ７２に接続されるが、リザーバ７２との間に、常開の電磁開閉弁であるリザーバ遮断弁３４６が設けられる。リザーバ遮断弁３４６の開状態において、環状室３３２がリザーバ７２に連通させられるため、中間ピストン３１６のハウジング３１０に対する相対移動が許容されるが、リザーバ遮断弁３４６の閉状態においては、環状室３３２がリザーバ７２から遮断され、中間ピストン３１６の相対移動が阻止される。【００５８】
第１、第２加圧ピストン３１２，３１４の前方は、それぞれ、第１、第２マニュアル式液圧源としての第１，第２加圧室３６０，３６２とされている。ハウジング３１０には、リザーバポート３６４，３６６が形成され、第１，第２加圧ピストン３１２，３１４には、それぞれ、連通穴３６７，３６８が形成され、第１，第２加圧ピストン３１２，３１４の後退端位置において、これらが連通させられ、第１，第２加圧室３６０，３６２はリザーバ７２と連通させられた状態にある。第１，第２加圧ピストン３１２，３１４の前進に伴ってリザーバポート３６４，３６６が塞がれ、第１，第２加圧室３６０，３６２は、リザーバ７２から遮断されて、液圧が発生させられる。
また、第１，第２加圧ピストン３１２，３１４の間には、伸長規制機構３６８が設けられ、第１，第２加圧ピストン３１２，３１４の離間限度が規定される。【００５９】
後方液圧室３３０と中間液圧室３３６とには、第２液圧発生装置３７０が出力液圧制御装置３７２を介して接続される。
第２液圧発生装置３７０は、駆動源としてのポンプモータ３７４と、作動液供給部としてのポンプ３７６とを備えた動力式液圧源としてのポンプ装置３７８と、ポンプ３７６から吐出された作動液を加圧した状態で蓄えるアキュムレータ３８０とを含む。当該液圧ブレーキシステムが正常である場合には、ポンプモータ３７４は、アキュムレータ３８０に蓄えられる液圧が設定範囲内に保たれるように制御される。
出力液圧制御装置３７２は、増圧リニア制御弁３８２と減圧リニア制御弁３８４とを含む。増圧リニア制御弁３８２は、実施例１における増圧リニア制御弁１１２と同じ構造を成したものであり、ソレノイドに電流が供給されない状態で閉状態にある常閉の電磁開閉弁である。減圧リニア制御弁３８４は、本実施例においては、ソレノイドに電流が供給されない場合に開状態にある常開のリニア制御弁であり、ソレノイドへの供給電流を連続的に制御することにより、前後の差圧を連続的に制御することができる。常開のリニア制御弁であるため、ソレノイドへの供給電流を小さくすると、前後の差圧が小さくなり、制御圧が小さくされる。増圧リニア制御弁３８２，減圧リニア制御弁３８４のソレノイドに電流が供給されない場合には、増圧リニア制御弁３８２が閉状態にあり、減圧リニア制御弁３８４は開状態にあるため、中間液圧室３２６，後方液圧室３３０はリザーバ７２に連通させられる。
また、後方液圧室３３０と中間液圧室３３６との両方に、出力液圧制御装置３７２が接続されているため、これら後方液圧室３３０，中間液圧室３３６の液圧は同じ大きさに制御されることになる。【００６０】
第１，第２加圧室３６０，３６２には、それぞれ、第１，第２マスタ通路３９０，３９２が接続され、左右前輪のブレーキシリンダ４２ＦＬ，ＦＲ，左右後輪のブレーキシリンダ５２ＲＬ，ＲＲが接続される。本実施例においては、前後２系統とされているのである。
また、本液圧ブレーキシステムには、スリップ制御装置３９４，３９６が設けられ、ブレーキシリンダ４２ＦＬ、ＦＲ，５２ＲＬ、ＲＲの液圧が個別に制御可能とされている。スリップ制御装置は、ブレーキシリンダ４２，５２を第１，第２加圧室３６０，３６２に連通させる増圧状態と、ブレーキシリンダ４２，５２をリザーバ７２に連通させる減圧状態と、ブレーキシリンダ４２，５２を加圧室３６０，３６２からもリザーバ７２からも遮断する保持状態とに切り換え可能な複数のバルブを含むものである。
さらに、第２マスタ通路３９２のブレーキシリンダ５２ＲＬ，ＲＲ（スリップ制御装置３９６）と第２加圧室３６２との間の部分と、第２液圧発生装置３７０とが連結通路４００によって接続され、連結通路４００に、リリーフ弁４０２が設けられる。リリーフ弁４０２は、第２液圧発生装置３７０の液圧が第２マスタ通路３９２の液圧より設定圧Ｐｒ以上大きくなった場合に、閉状態から開状態に切り換えられ、第２液圧発生装置３７０から第２マスタ通路３９２への作動液の流れが許容される。【００６１】
以上のように構成された液圧ブレーキシステムにおける作動を説明する。
１）回生協調制御
液圧ブレーキシステムが正常である場合には、回生協調制御が行われる。リザーバ遮断弁３４６の閉状態において、出力液圧制御装置３７２の制御により、第１，第２加圧室３６０，３６２の液圧が制御される。回生制動トルクと液圧制動トルクとの和が運転者の総要求制動トルクと等しくなる大きさにブレーキシリンダ４２，５２の液圧が制御されるのである。
リザーバ遮断弁３４６が閉状態とされることにより、中間ピストン３１６の前進が阻止される。入力ピストン３１８は中間ピストン３１６に対して相対移動可能とされ、入力ピストン３１８の相対的な前進に伴ってスプリング３２２の弾性力に応じた反力が加えられる。
制動開始当初において、たいていの場合には、回生制動トルクのみによって総要求制動トルクが満たされる。その場合には、増圧リニア制御弁３８２，減圧リニア制御弁３８４のソレノイドに電流が供給されることがなく、中間液圧室３２６、後方液圧室３２０はリザーバ７２に連通させられる。第１，第２加圧室３６０，３６２に液圧が発生させられることはない。ブレーキペダル６０の操作に伴って、スプリング３２２の弾性力に応じた反力が加えられるのであり、第１液圧発生装置３００は、ストロークシミュレータとして機能する。【００６２】
総要求制動トルクが回生制動トルクより大きくなると、出力液圧制御装置３７２の制御により、後方液圧室３３０、中間液圧室３２６の液圧が制御される。後方液圧室３３０、中間液圧室３３６の液圧により中間ピストン３２６に加えられる力は釣り合っているため、それによって、中間ピストン３２６が移動させられることはないのであり、運転者の操作フィーリングの変化を抑制することができる。
また、中間液圧室３２６に液圧が供給されることにより、第１加圧ピストン３１２が前進させられ、第２加圧ピストン３１４が前進させられる。第１加圧室３６０、第２加圧室３６２の液圧が、中間液圧室３２６の液圧に応じた大きさとなる。
換言すれば、ブレーキシリンダ４２，５２の液圧は、中間液圧室３２６の液圧の制御によって制御されるのである。
ブレーキシリンダ４２，５２の液圧は、ブレーキペダル６０の操作力とは関係ない大きさに制御可能であり、ブレーキペダル６０の操作力に応じた液圧（入力ピストン３１８，中間ピストン３１６，第１，第２加圧ピストン３１２，３１４が一体的に前進させられた場合に、第１，第２加圧室３６０，３６２に発生させられる液圧）より、小さい値に制御されるようにすることも可能である。
第１液圧発生装置３００は、ストロークシミュレータとして機能するとともに、第２液圧依拠液圧発生装置として機能する。【００６３】
＜制御系が異常である場合＞
液圧ブレーキシステムの制御系が異常である場合には、全てのソレノイドに電流が供給されないことにより、原位置に戻される。後方液圧室３３０、環状室３３２、中間液圧室３２６は、リザーバ７２に連通させられる。また、後退端位置において内部液圧室３２０はリザーバ７２に連通させられる。
ブレーキペダル６０が作用操作されると、入力ピストン３１８が前進させられ、中間ピストン３１６が前進させられる。中間ピストン３１６の前進により内部液圧室３２０がリザーバ７２から遮断されると、入力ピストン３１８と中間ピストン３１６とは一体的に前進させられる。
中間ピストン３１６が第１加圧ピストン３１２に当接すると、第１加圧ピストン３１２が前進させられ、第２加圧ピストン３１４が前進させられる。それによって、第１，第２加圧室３６０，３６２に液圧が発生させられ、第１，第２マスタ通路３９０，３９２を経てブレーキシリンダ４２，５２に液圧が供給されて、液圧ブレーキ４０，５０が作動させられる。
この場合には、第１液圧発生装置３００は、通常のタンデムマスタシリンダとして機能する。【００６４】
ポンプモータ３７４は、実施例１における場合と同様に制御される。
ポンプ３７６から吐出された作動液は、リリーフ弁４０２を経て第２マスタ通路３９２に供給されて、ブレーキシリンダ５２に供給されるとともに第２加圧室３６２に供給される。実施例１における場合と同様に、第２加圧室３６２の液圧が増加させられ、それによって、第２加圧ピストン３１４が後退させられ、第１加圧室３６０の液圧が増加させられるのであり、ブレーキシリンダ４２の液圧が増加させられる。
このように、制御系の異常時に、ポンプ３７６から吐出された作動液がリリーフ弁４０２を経て第２加圧室３６２に供給されるため、ブレーキシリンダ４２，５２の液圧を大きくすることができる。また、アキュムレータ３８０により脈動を抑制することができる。
本実施例においては、第２マスタ通路３９２、第１液圧発生装置３００、左右後輪のブレーキシリンダ５２ＲＬ，ＲＲ等によってマニュアル関連ブレーキ系統が構成される。また、増圧リニア制御弁３８２（出力液圧制御装置３７２）は、第１液圧発生装置３００の加圧ピストン３１２の後方の中間液圧室３３６に接続される。本実施例において、マニュアル関連ブレーキ系統と第２液圧発生装置３７０との間に、増圧リニア制御弁３８２とリリーフ弁４０２とが並列に配設されることになる。【００６５】
以上、実施例１〜６について説明したが、本発明は、これら実施例１〜６を組み合わせた態様で実施することもできる。例えば、第２液圧発生装置とマニュアル関連ブレーキ系統との間に、リリーフ弁と、電磁開閉弁との両方を設けることもできる。また、リリーフ弁や電磁開閉弁に加えて、絞り等を設けることも可能である。
また、第２液圧発生装置がアキュムレータを含むことは不可欠ではない。
さらに、出力液圧制御装置１１８は不可欠ではない。また、減圧リニア制御弁１１６も不可欠ではない。減圧弁１０６の少なくとも１つにより、共通通路１０２の液圧の減圧制御を行うことができる。
ブレーキＥＣＵ５６が正常である場合には、ブレーキＥＣＵ５６によるポンプモータ５５の制御によりポンプ９０の出力液圧を制御することができる。ブレーキＥＣＵ５６の異常によりポンプモータ５５の制御が不可能である場合には、ポンプモータ５５がポンプモータＥＣＵ５７によって、ブレーキＥＣＵ５６とは異なる態様で制御され、流れ抑制装置を介してマニュアル関連ブレーキ系統に供給されるようにすることができる。
その他、本発明は、上述に記載の態様の他、当業者の知識に基づいて種々の変更、改良を施した態様で実施することができる。
【符号の説明】
【００６６】
４０，５０：液圧ブレーキ  ４２，５２：ブレーキシリンダ  ５４：液圧制御部  ５６：ブレーキＥＣＵ  ５７：ポンプモータＥＣＵ  ６０：ブレーキペダル  ６２：第１液圧発生装置  ６４：第２液圧発生装置  ６６：アキュムレータ  １００：個別通路  １０２：共通通路  １０３：保持弁  １０６；減圧弁  １１０：制御圧通路  １１２：増圧リニア制御弁  １１６：減圧リニア制御弁  １１８：出力液圧制御装置  １４４：連結通路  １４６：リリーフ弁  １４８：マニュアル関連ブレーキ系統  １５８：ブレーキスイッチ  １６０：ストロークセンサ  １６２：マスタシリンダ圧センサ  １６４：アキュムレータ圧センサ  １６８：レベルウォーニング  １８８：メイン電源  １８９：サブ電源  １９０：連結通路  １９２：リリーフ弁  ２００：連結通路  ２０２：リリーフ弁  ２２０：連結通路  ２２２：リニア制御弁  ３００：第１液圧発生装置  ３１２，３１４：加圧ピストン  ３１６：中間ピストン  ３１８：入力ピストン  ３３０：後方液圧室  ３３２：環状室  ３３６：中間液圧室  ３４６：リザーバ遮断弁  ３６０，３６２：第１，第２加圧室  ３７０：第２液圧発生装置  ３７２：出力液圧制御装置  ４００：連結通路  ４０２：リリーフ弁
【図１】
2011108090.tif 000003
【図２】
2011108090.tif 000004
【図３】
2011108090.tif 000005
【図４】
2011108090.tif 000006
【図５】
2011108090.tif 000007
【図６】
2011108090.tif 000008
【図７】
2011108090.tif 000009
【図８】
2011108090.tif 000010
【図９】
2011108090.tif 000011
【図１０】
2011108090.tif 000012
【図１１】
2011108090.tif 000013
【図１２】
2011108090.tif 000014
【図１３】
2011108090.tif 000015
【図１４】
2011108090.tif 000016
【図１５】
2011108090.tif 000017
【図１６】
2011108090.tif 000018
【図１７】
2011108090.tif 000019
【図１８】
2011108090.tif 000020
【図１９】
2011108090.tif 000021
【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
運転者のブレーキ操作部材の操作により液圧を発生させるマニュアル式液圧源を備えた第１液圧発生装置と、
駆動源への電気エネルギの供給により作動させられ、液圧を発生させる動力式液圧源を備えた第２液圧発生装置と、
車両の複数の車輪の各々に対応して設けられ、それぞれ、ブレーキシリンダの液圧により作動させられ、その車輪の回転を抑制する複数の液圧ブレーキと、
（ｉ）前記マニュアル式液圧源と前記複数の液圧ブレーキのうちの少なくとも１つの前記ブレーキシリンダとに連通可能な連通装置と、（ｉｉ）前記第１液圧発生装置と、（ｉｉｉ）前記少なくとも１つのブレーキシリンダとを含むマニュアル関連ブレーキ系統と、
前記マニュアル関連ブレーキ系統と前記第２液圧発生装置との間に、互いに並列に設けられ、（ｉ）前記第２液圧発生装置の出力液圧を制御可能な出力液圧制御装置と、（ｉｉ）前記第２液圧発生装置から前記マニュアル関連ブレーキ系統への作動液の流れを抑制する流れ抑制装置と、
当該液圧ブレーキシステムが前記出力液圧制御装置によって前記第２液圧発生装置の出力液圧を制御できない異常である場合に、前記動力式液圧源を制御する動力式液圧源制御装置と
を含む請求項１に記載の液圧ブレーキシステム。
【請求項２】
（削除）
【請求項３】
前記連通装置が、前記マニュアル式液圧源と前記少なくとも１つのブレーキシリンダとを接続するマニュアル通路を含み、
前記流れ抑制装置が、前記第２液圧発生装置と前記マニュアル通路との間に設けられた請求項１に記載の液圧ブレーキシステム。
【請求項４】
当該液圧ブレーキシステムが、前記マニュアル通路に設けられ、少なくとも開状態と閉状態とに切換え可能なマニュアル遮断弁を含み、
前記流れ抑制装置が、前記第２液圧発生装置と前記マニュアル通路の前記マニュアル遮断弁より前記ブレーキシリンダ側の部分との間に設けられた請求項３に記載の液圧ブレーキシステム。
【請求項５】
前記連通装置が、（ｉ）前記少なくとも１つのブレーキシリンダが、それぞれ、個別通路を介して接続された共通通路と、（ｉｉ）前記少なくとも１つの個別通路のうちの１つと、（ｉｉｉ）その１つの個別通路と前記マニュアル式液圧源とを接続する個別接続通路とを含み、
前記流れ抑制装置が、前記第２液圧発生装置と前記共通通路との間に設けられた請求項１に記載の液圧ブレーキシステム。
【請求項６】
前記１つの個別通路に、その個別通路に接続された前記ブレーキシリンダの液圧を制御可能な個別制御弁が設けられ、前記個別接続通路が、前記１つの個別通路の、前記個別制御弁より前記ブレーキシリンダ側の部分に接続された請求項５に記載の液圧ブレーキシステム。
【請求項７】
前記連通装置が、（ｉ）前記少なくとも１つのブレーキシリンダが、それぞれ、個別通路を介して接続された共通通路と、（ｉｉ）前記少なくとも１つの個別通路のうちの１つと、（ｉｉｉ）その１つの個別通路と前記マニュアル式液圧源とを接続する個別接続通路とを含み、
前記出力液圧制御装置が、前記第２液圧発生装置と前記共通通路との間に設けられた請求項１，３ないし６のいずれか１つに記載の液圧ブレーキシステム。
【請求項８】
前記出力液圧制御装置が、ソレノイドへの供給電流の大きさの制御により、前後の差圧を制御可能なリニア制御弁を含む請求項１，３ないし７のいずれか１つに記載の液圧ブレーキシステム。
【請求項９】
前記流れ抑制装置が、前記第２液圧発生装置の液圧が前記マニュアル関連ブレーキ系統の液圧より設定圧以上大きくなると、前記第２液圧発生装置から前記マニュアル関連ブレーキ系統への作動液の流れを許容するリリーフ弁を含む請求項１，３ないし８のいずれか１つに記載の液圧ブレーキシステム。
【請求項１０】
前記流れ抑制装置が、ソレノイドへの電流の供給制御により、少なくとも、開状態と閉状態とに切り換え可能であって、前記ソレノイドに電流が供給されない場合に閉状態にある常閉の電磁開閉弁を含む請求項１，３ないし９のいずれか１つに記載の液圧ブレーキシステム。
【請求項１１】
前記動力式液圧源が、（ｉ）電気エネルギにより作動可能な駆動源と、（ｉｉ）その駆動源により作動させられ、作動液を供給する作動液供給部とを含み、前記第２液圧発生装置が、前記作動液供給部から供給された作動液を加圧した状態で蓄えるアキュムレータを含む請求項１，３ないし１０のいずれか１つに記載の液圧ブレーキシステム。
【請求項１２】
当該液圧ブレーキシステムが、前記複数の車輪のうちの左右前輪に対応して設けられた前記液圧ブレーキの前記ブレーキシリンダが、それぞれ、前輪用個別通路を介して接続された前輪用共通通路を含み、
前記マニュアル式液圧源が、２つの加圧ピストンを備え、前記ブレーキ操作部材の操作により２つの加圧室にそれぞれ液圧を発生させるタンデム式のマスタシリンダの加圧室の各々とされ、それら加圧室の各々が前記前輪用個別通路の各々に、それぞれ、前輪用個別接続通路を介して接続され、
前記連通装置が、（ｉ）前記前輪用共通通路と、（ｉｉ）前記２つの前輪用個別通路のいずれか一方と、（ｉｉｉ）その一方の前輪用個別通路に接続された前記２つの前輪用個別接続通路の一方とを含む請求項１，３ないし１１のいずれか１つに記載の液圧ブレーキシステム。
【請求項１３】
当該液圧ブレーキシステムが、（ｉ）前記一方の前輪用個別通路に設けられ、ソレノイドへの電流の供給制御により開状態と閉状態とに切り換え可能であって、ソレノイドに電流が供給されない場合に開状態にある常開の電磁開閉弁である前輪用個別制御弁と、（ｉｉ）前記２つの前輪用個別通路の他方に設けられ、ソレノイドへの電流の供給制御により開状態と閉状態とに切り換え可能であって、ソレノイドに電流が供給されない場合に閉状態にある常閉の電磁開閉弁である前輪用個別制御弁とを含み、
前記一方の前輪用個別接続通路が、前記一方の前輪用個別通路の前記常開の前輪用個別制御弁より下流側の部分に接続され、前記他方の前輪用個別接続通路が、前記他方の前輪用個別通路の前記常閉の前輪用個別制御弁より下流側の部分に接続された請求項１２に記載の液圧ブレーキシステム。
【請求項１４】
当該液圧ブレーキシステムが、前記２つの前輪用個別接続通路の各々に設けられ、ソレノイドに電流が供給されない場合に開状態にある常開の電磁開閉弁であるマニュアル遮断弁を含む請求項１３に記載の液圧ブレーキシステム。
【請求項１５】
前記２つの加圧室の他方に、前記２つの加圧ピストンの移動を規制する移動規制部が設けられた請求項１２ないし１４のいずれか１つに記載の液圧ブレーキシステム。
【請求項１６】
（削除）
【請求項１７】
運転者のブレーキ操作部材の操作により液圧を発生させるマニュアル式液圧源と、
電気エネルギの供給により作動させられ、液圧を発生させる動力式液圧源を備えた動力式液圧発生装置と、
車両の複数の車輪の各々に対応して設けられ、それぞれ、ブレーキシリンダの液圧により作動させられ、その車輪の回転を抑制する複数の液圧ブレーキと
を含む液圧ブレーキシステムであって、
前記動力式液圧発生装置と前記マニュアル式液圧源との間に設けられ、前記動力式液圧発生装置の液圧が前記マニュアル式液圧源の液圧より設定圧以上大きい場合に、前記動力式液圧源から前記マニュアル式液圧源への作動液の流れを許容するリリーフ弁と、
当該液圧ブレーキシステムが正常である場合に、前記動力式液圧発生装置の出力液圧を制御して前記複数のブレーキシリンダに、前記リリーフ弁をバイパスして供給する正常時液圧供給部と、
当該液圧ブレーキシステムの制御系の異常時に、前記動力式液圧源を作動させて、前記動力式液圧発生装置の出力液圧を、前記リリーフ弁を経て、前記マニュアル式液圧源に供給する異常時液圧供給部と
を含むことを特徴とする液圧ブレーキシステム。
【請求項１８】
前記連通装置が、（ｉ）前記少なくとも１つのブレーキシリンダが、それぞれ、個別通路を介して接続された共通通路と、（ｉｉ）前記少なくとも１つの個別通路のうちの１つと、（ｉｉｉ）その１つの個別通路と前記マニュアル式液圧源とを接続する個別接続通路とを含み、
前記流れ抑制装置が、前記第２液圧発生装置と前記共通通路との間に設けられた電磁開閉弁を含む請求項１に記載の液圧ブレーキシステム。
【手続補正２】
【補正対象書類名】明細書
【補正対象項目名】０００３
【補正方法】変更
【補正の内容】
【０００３】
少なくとも１つのブレーキシリンダとを含むマニュアル関連ブレーキ系統と、（Ｅ）前記マニュアル関連ブレーキ系統と前記第２液圧発生装置との間に、互いに並列に設けられ、（ｉ）前記第２液圧発生装置の出力液圧を制御可能な出力液圧制御装置と、（ｉｉ）前記第２液圧発生装置から前記マニュアル関連ブレーキ系統への作動液の流れを抑制する流れ抑制装置と、（Ｆ）当該液圧ブレーキシステムが前記出力液圧制御装置によって前記第２液圧発生装置の出力液圧を制御できない異常である場合に、前記動力式液圧源を制御する動力式液圧源制御装置とを含むものとされる。
本発明に係る液圧ブレーキシステムにおいては、マニュアル関連ブレーキ系統と第２液圧発生装置との間に、出力液圧制御装置と流れ抑制装置とが互いに並列に設けられる。
例えば、当該液圧ブレーキシステムが正常である場合に、第２液圧発生装置の出力液圧が出力液圧制御装置によって制御されてマニュアル関連ブレーキ系統に供給され、ブレーキシリンダに供給されて、液圧ブレーキが作動させられる。ブレーキシリンダの液圧が要求液圧に近づくように出力液圧制御装置の制御によって制御される。
当該液圧ブレーキシステムの制御系が異常である場合に、第２液圧発生装置の液圧が流れ抑制装置を経てマニュアル関連ブレーキ系統に供給される。マニュアル式液圧源に供給されると、ブレーキ操作部材に加えられる操作力が同じ場合の液圧を大きくすることができ、ブレーキシリンダの液圧を大きくすることができる。また、その場合に、第２液圧発生装置の液圧が流れ抑制装置を経てマニュアル関連ブレーキ系統に供給されるため、マニュアル関連ブレーキ系統に、（ｉ）過大な液圧の作動液が供給されること（ｉｉ）大流量の作動液が供給されることとの少なくとも一方を回避し、マニュアル式液圧源に、（ｉ）過大な液圧が供給されることと（ｉｉ）大流量で作動液が供給されることとの少なくとも一方を回避することができる。
また、出力液圧制御装置が、第２液圧発生装置とマニュアル関連ブレーキ系統との間に設けられ、流れ抑制装置が、第２液圧発生装置とマニュアル関連ブレーキ系統のうちの｛連通装置と、少なくとも１つのブレーキシリンダと、マニュアル式液圧源とを含む部分、すなわち、マニュアル関連ブレーキ系統から第１液圧発生装置のマニュアル式液圧源以外の部分を除いた部分｝
【手続補正３】
【補正対象書類名】明細書
【補正対象項目名】００２２
【補正方法】変更
【補正の内容】
【００２２】
を備えた動力式液圧発生装置と、
車両の複数の車輪の各々に対応して設けられ、それぞれ、ブレーキシリンダの液圧により作動させられ、その車輪の回転を抑制する複数の液圧ブレーキと
を含む液圧ブレーキシステムであって、
前記動力式液圧発生装置と前記マニュアル式液圧源との間に設けられ、前記動力式液圧発生装置の液圧が前記マニュアル式液圧源の液圧より設定圧以上大きい場合に、前記動力式液圧発生装置から前記マニュアル式液圧源への作動液の流れを許容するリリーフ弁と、
当該液圧ブレーキシステムが正常である場合に、前記動力式液圧発生装置の出力液圧を制御して、前記リリーフ弁をバイパスして、前記複数のブレーキシリンダに供給する正常時液圧供給部と、
当該液圧ブレーキシステムの制御系の異常時に、前記動力式液圧源を作動させて、前記動力式液圧発生装置の出力液圧を、前記リリーフ弁を経て、前記マニュアル式液圧源に供給する異常時液圧供給部と
を含むことを特徴とする液圧ブレーキシステム。
正常時制御部は、動力式液圧源を制御するものとしたり、動力式液圧源の出力側に設けられた出力液圧制御弁を制御するものとしたりすることができる。正常時制御部が、前者の動力式液圧源を制御するものである場合には、実際のブレーキシリンダの液圧が要求液圧に近づくように、動力式液圧源を制御する。
それに対して、異常時制御部は、動力式液圧源を、例えば、異常時制御パターンに従って制御するものとすることができる。要求液圧が満たされるように制御するのではなく、マニュアル式液圧源に供給される作動液の流量がほぼ設定量に保たれるように制御すること等ができる。
動力式液圧発生装置は、アキュムレータを含むものとすることができる等、本項に記載の液圧ブレーキシステムには、（１）項ないし（３３）項のいずれかに記載の技術的特徴を採用することができる。
（３５）運転者のブレーキ操作部材の操作により液圧を発生させるマニュアル式液圧源と、
駆動源への電気エネルギの供給により作動させられ、液圧を発生させる動力式液圧源と、
車両の複数の車輪の各々に対応して設けられ、それぞれ、ブレーキシリンダの液圧により作動させられ、その車輪の回転を抑制する複数の液圧ブレーキと、
前記複数のブレーキシリンダが、それぞれ、個別通路を介して接続された共通通路と、
それら複数の個別通路のうちの１つと前記マニュアル式液圧源とを接続する個別接続通路と、
前記動力式液圧源と前記共通通路との間に互いに並列に設けられた、（ｉ）ソレノイドへの供給電流量の連続的な制御により、前記共通通路の液圧の大きさを連続的に制御可能なリニア制弁と、（ｉｉ）ソレノイドへの供給電流のＯＮ・ＯＦＦ制御により開状態と閉状態とに切り換え可能な電磁開閉弁と
を含むことを特徴とする液圧ブレーキシステム。
（３６）前記マニュアル式液圧源が、２つの加圧ピストンを備え、前記ブレーキ操作部材の操作により２つの加圧室にそれぞれ液圧を発生させるタンデム式のマスタシリンダの加圧室の各々とされ、前記ブレーキ操作部材に加えられる操作力と前記２つの加圧室の各々の液圧との間に、ヒステリシスを有する関係が成立する（１）項ないし（３５）項のいずれか１つに記載の液圧ブレーキシステム。
【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
運転者のブレーキ操作部材の操作により液圧を発生させるマニュアル式液圧源を備えた第１液圧発生装置と、
駆動源への電気エネルギの供給により作動させられ、液圧を発生させる動力式液圧源を備えた第２液圧発生装置と、
車両の複数の車輪の各々に対応して設けられ、それぞれ、ブレーキシリンダの液圧により作動させられ、その車輪の回転を抑制する複数の液圧ブレーキと、
(i)前記マニュアル式液圧源と前記複数の液圧ブレーキのうちの少なくとも１つの前記ブレーキシリンダとに連通可能な連通装置と、(ii)前記第１液圧発生装置と、(iii)前記少なくとも１つのブレーキシリンダとを含むマニュアル関連ブレーキ系統と、
前記マニュアル関連ブレーキ系統と前記第２液圧発生装置との間に、互いに並列に設けられ、(i)前記第２液圧発生装置の出力液圧を制御可能な出力液圧制御装置と、(ii)前記第２液圧発生装置から前記マニュアル関連ブレーキ系統への作動液の流れを抑制する流れ抑制装置と、
当該液圧ブレーキシステムが前記出力液圧制御装置によって前記第２液圧発生装置の出力液圧を制御できない異常である場合に、前記動力式液圧源を作動させて、前記流れ抑制装置を経てマニュアル関連ブレーキ系統へ液圧を供給する動力式液圧源制御装置と
を含むことを特徴とする液圧ブレーキシステム。
【請求項２】
前記連通装置が、前記マニュアル式液圧源と前記少なくとも１つのブレーキシリンダとを接続するマニュアル通路を含み、
前記流れ抑制装置が、前記第２液圧発生装置と前記マニュアル通路との間に設けられた請求項１に記載の液圧ブレーキシステム。
【請求項３】
当該液圧ブレーキシステムが、前記マニュアル通路に設けられ、少なくとも開状態と閉状態とに切換え可能なマニュアル遮断弁を含み、
前記流れ抑制装置が、前記第２液圧発生装置と前記マニュアル通路の前記マニュアル遮断弁より前記ブレーキシリンダ側の部分との間に設けられた請求項２に記載の液圧ブレーキシステム。
【請求項４】
前記連通装置が、(i)前記少なくとも１つのブレーキシリンダが、それぞれ、個別通路を介して接続された共通通路と、(ii)前記少なくとも１つの個別通路のうちの１つと、(iii)その１つの個別通路と前記マニュアル式液圧源とを接続する個別接続通路とを含み、
前記流れ抑制装置が、前記第２液圧発生装置と前記共通通路との間に設けられた請求項１に記載の液圧ブレーキシステム。
【請求項５】
前記１つの個別通路に、その個別通路に接続された前記ブレーキシリンダの液圧を制御可能な個別制御弁が設けられ、前記個別接続通路が、前記１つの個別通路の、前記個別制御弁より前記ブレーキシリンダ側の部分に接続された請求項４に記載の液圧ブレーキシステム。
【請求項６】
前記連通装置が、(i)前記少なくとも１つのブレーキシリンダが、それぞれ、個別通路を介して接続された共通通路と、(ii)前記少なくとも１つの個別通路のうちの１つと、(iii)その１つの個別通路と前記マニュアル式液圧源とを接続する個別接続通路とを含み、
前記出力液圧制御装置が、前記第２液圧発生装置と前記共通通路との間に設けられた請求項１ないし５のいずれか１つに記載の液圧ブレーキシステム。
【請求項７】
前記出力液圧制御装置が、ソレノイドへの供給電流の大きさの制御により、前後の差圧を制御可能なリニア制御弁を含む請求項１ないし６のいずれか１つに記載の液圧ブレーキシステム。
【請求項８】
前記流れ抑制装置が、前記第２液圧発生装置の液圧が前記マニュアル関連ブレーキ系統の液圧より設定圧以上大きくなると、前記第２液圧発生装置から前記マニュアル関連ブレーキ系統への作動液の流れを許容するリリーフ弁を含む請求項１ないし７のいずれか１つに記載の液圧ブレーキシステム。
【請求項９】
前記流れ抑制装置が、ソレノイドへの電流の供給制御により、少なくとも、開状態と閉状態とに切り換え可能であって、前記ソレノイドに電流が供給されない場合に閉状態にある常閉の電磁開閉弁を含む請求項１ないし８のいずれか１つに記載の液圧ブレーキシステム。
【請求項１０】
前記動力式液圧源が、(i)電気エネルギにより作動可能な駆動源と、(ii)その駆動源により作動させられ、作動液を供給する作動液供給部とを含み、前記第２液圧発生装置が、前記作動液供給部から供給された作動液を加圧した状態で蓄えるアキュムレータを含む請求項１ないし９のいずれか１つに記載の液圧ブレーキシステム。
【請求項１１】
当該液圧ブレーキシステムが、前記複数の車輪のうちの左右前輪に対応して設けられた前記液圧ブレーキの前記ブレーキシリンダが、それぞれ、前輪用個別通路を介して接続された前輪用共通通路を含み、
前記マニュアル式液圧源が、２つの加圧ピストンを備え、前記ブレーキ操作部材の操作により２つの加圧室にそれぞれ液圧を発生させるタンデム式のマスタシリンダの加圧室の各々とされ、それら加圧室の各々が前記前輪用個別通路の各々に、それぞれ、前輪用個別接続通路を介して接続され、
前記連通装置が、(i)前記前輪用共通通路と、(ii)前記２つの前輪用個別通路のいずれか一方と、(iii)その一方の前輪用個別通路に接続された前記２つの前輪用個別接続通路の一方とを含む請求項１ないし１０のいずれか１つに記載の液圧ブレーキシステム。
【請求項１２】
当該液圧ブレーキシステムが、(i)前記一方の前輪用個別通路に設けられ、ソレノイドへの電流の供給制御により開状態と閉状態とに切り換え可能であって、ソレノイドに電流が供給されない場合に開状態にある常開の電磁開閉弁である前輪用個別制御弁と、(ii)前記２つの前輪用個別通路の他方に設けられ、ソレノイドへの電流の供給制御により開状態と閉状態とに切り換え可能であって、ソレノイドに電流が供給されない場合に閉状態にある常閉の電磁開閉弁である前輪用個別制御弁とを含み、
前記一方の前輪用個別接続通路が、前記一方の前輪用個別通路の前記常開の前輪用個別制御弁より下流側の部分に接続され、前記他方の前輪用個別接続通路が、前記他方の前輪用個別通路の前記常閉の前輪用個別制御弁より下流側の部分に接続された請求項１１に記載の液圧ブレーキシステム。
【請求項１３】
当該液圧ブレーキシステムが、前記２つの前輪用個別接続通路の各々に設けられ、ソレノイドに電流が供給されない場合に開状態にある常開の電磁開閉弁であるマニュアル遮断弁を含む請求項１２に記載の液圧ブレーキシステム。
【請求項１４】
前記２つの加圧室の他方に、前記２つの加圧ピストンの移動を規制する移動規制部が設けられた請求項１１ないし１３のいずれか１つに記載の液圧ブレーキシステム。
【請求項１５】
運転者のブレーキ操作部材の操作により液圧を発生させるマニュアル式液圧源と、
電気エネルギの供給により作動させられ、液圧を発生させる動力式液圧源を備えた動力式液圧発生装置と、
車両の複数の車輪の各々に対応して設けられ、それぞれ、ブレーキシリンダの液圧により作動させられ、その車輪の回転を抑制する複数の液圧ブレーキと
を含む液圧ブレーキシステムであって、
前記動力式液圧発生装置と前記マニュアル式液圧源との間に設けられ、前記動力式液圧発生装置の液圧が前記マニュアル式液圧源の液圧より設定圧以上大きい場合に、前記動力式液圧源から前記マニュアル式液圧源への作動液の流れを許容するリリーフ弁と、
当該液圧ブレーキシステムが正常である場合に、前記動力式液圧発生装置の出力液圧を制御して前記複数のブレーキシリンダに、前記リリーフ弁をバイパスして供給する正常時液圧供給部と、
当該液圧ブレーキシステムの制御系の異常時に、前記動力式液圧源を作動させて、前記動力式液圧発生装置の出力液圧を、前記リリーフ弁を経て、前記マニュアル式液圧源に供給する異常時液圧供給部と
を含むことを特徴とする液圧ブレーキシステム。
【請求項１６】
前記連通装置が、(i)前記少なくとも１つのブレーキシリンダが、それぞれ、個別通路を介して接続された共通通路と、(ii)前記少なくとも１つの個別通路のうちの１つと、(iii)その１つの個別通路と前記マニュアル式液圧源とを接続する個別接続通路とを含み、
前記流れ抑制装置が、前記第２液圧発生装置と前記共通通路との間に設けられた電磁開閉弁を含む請求項１に記載の液圧ブレーキシステム。
【手続補正２】
【補正対象書類名】明細書
【補正対象項目名】０００５
【補正方法】変更
【補正の内容】
【０００５】
請求項１に記載の液圧ブレーキシステムは、(A)運転者のブレーキ操作部材の操作により液圧を発生させるマニュアル式液圧源を備えた第１液圧発生装置と、(B)電気エネルギの供給により作動させられ、液圧を発生させる動力式液圧源を備えた第２液圧発生装置と、(C)車両の複数の車輪の各々に対応して設けられ、それぞれ、ブレーキシリンダの液圧により作動させられ、その車輪の回転を抑制する複数の液圧ブレーキと、(D)(i)前記マニュアル式液圧源と前記複数の液圧ブレーキのうちの少なくとも１つの前記ブレーキシリンダとの両方に連通可能な連通装置と、(ii)前記第１液圧発生装置と、(iii)前記少なくとも１つのブレーキシリンダとを含むマニュアル関連ブレーキ系統と、(E)前記マニュアル関連ブレーキ系統と前記第２液圧発生装置との間に、互いに並列に設けられ、(i)前記第２液圧発生装置の出力液圧を制御可能な出力液圧制御装置と、(ii)前記第２液圧発生装置から前記マニュアル関連ブレーキ系統への作動液の流れを抑制する流れ抑制装置と、当該液圧ブレーキシステムが前記出力液圧制御装置によって前記第２液圧発生装置の出力液圧を制御できない異常である場合に、前記動力式液圧源を作動させて、流れ抑制装置を経てマニュアル関連ブレーキ系統へ液圧を供給する動力式液圧源制御装置とを含むものとされる。
本発明に係る液圧ブレーキシステムにおいては、マニュアル関連ブレーキ系統と第２液圧発生装置との間に、出力液圧制御装置と流れ抑制装置とが互いに並列に設けられる。
例えば、当該液圧ブレーキシステムが正常である場合に、第２液圧発生装置の出力液圧が出力液圧制御装置によって制御されてマニュアル関連ブレーキ系統に供給され、ブレーキシリンダに供給されて、液圧ブレーキが作動させられる。ブレーキシリンダの液圧が要求液圧に近づくように出力液圧制御装置の制御によって制御される。
当該液圧ブレーキシステムの制御系が異常である場合に、第２液圧発生装置の液圧が流れ抑制装置を経てマニュアル関連ブレーキ系統に供給される。マニュアル式液圧源に供給されると、ブレーキ操作部材に加えられる操作力が同じ場合の液圧を大きくすることができ、ブレーキシリンダの液圧を大きくすることができる。また、その場合に、第２液圧発生装置の液圧が流れ抑制装置を経てマニュアル関連ブレーキ系統に供給されるため、マニュアル関連ブレーキ系統に、(i)過大な液圧の作動液が供給されること(ii)大流量の作動液が供給されることとの少なくとも一方を回避し、マニュアル式液圧源に、(i)過大な液圧が供給されることと(ii)大流量で作動液が供給されることとの少なくとも一方を回避することができる。
また、出力液圧制御装置が、第２液圧発生装置とマニュアル関連ブレーキ系統との間に設けられ、流れ抑制装置が、第２液圧発生装置とマニュアル関連ブレーキ系統のうちの｛連通装置と、少なくとも１つのブレーキシリンダと、マニュアル式液圧源とを含む部分、すなわち、マニュアル関連ブレーキ系統から第１液圧発生装置のマニュアル式液圧源以外の部分を除いた部分｝との間に設けられるようにすることができる。
特許文献１〜４のいずれにも、マニュアル関連ブレーキ系統と第２液圧発生装置との間に、出力液圧制御装置と流れ抑制装置とが互いに並列に設けられた液圧ブレーキシステムは記載されていない。
【手続補正３】
【補正対象書類名】明細書
【補正対象項目名】００１２
【補正方法】変更
【補正の内容】
【００１２】
（３２）運転者のブレーキ操作部材の操作により液圧を発生させるマニュアル式液圧源と、
(a)電気エネルギの供給により作動させられ、液圧を発生させる動力式液圧源と、(b)その動力式液圧源から供給された作動液を加圧した状態で蓄えるアキュムレータとを含む蓄圧機能付き動力式液圧発生装置と、
車両の複数の車輪の各々に対応して設けられ、それぞれ、前記マニュアル式液圧源の液圧がブレーキシリンダに供給されることにより作動させられ、その車輪の回転を抑制する複数の液圧ブレーキと、
前記マニュアル式液圧源と前記蓄圧機能付き動力式液圧発生装置との間に設けられ、前記蓄圧機能付き動力式液圧発生装置の液圧が前記マニュアル式液圧源の液圧より設定圧以上大きい場合に、前記蓄圧機能付き動力式液圧発生装置から前記マニュアル式液圧源への作動液の流れを許容するリリーフ弁と
を含むことを特徴とする液圧ブレーキシステム。
特許文献４に記載の液圧ブレーキシステムにおいては、作動液を加圧した状態で蓄えるアキュムレータは設けられていない。そのため、特許文献４に、本項に記載の技術的特徴を示唆する記載はない。
本項に記載の液圧ブレーキシステムには、(1)項ないし(31)項のいずれかに記載の技術的特徴を採用することができる。
（３３）運転者のブレーキ操作部材の操作により液圧を発生させるマニュアル式液圧源と、
電気エネルギの供給により作動させられ、液圧を発生させる動力式液圧源を備えた動力式液圧発生装置と、
車両の複数の車輪の各々に対応して設けられ、それぞれ、ブレーキシリンダの液圧により作動させられ、その車輪の回転を抑制する複数の液圧ブレーキと、
前記ブレーキシリンダを前記マニュアル式液圧源から遮断して前記動力式液圧発生装置の液圧を利用して前記ブレーキシリンダの液圧を制御するブレーキ液圧制御装置と、
前記マニュアル式液圧源と、前記複数のブレーキシリンダのうちの少なくとも１つと、これらマニュアル式液圧源と前記少なくとも１つのブレーキシリンダとに連通可能な連通装置とを含むマニュアル関連ブレーキ系統と、前記動力式液圧発生装置との間に設けられ、前記動力式液圧発生装置の液圧が前記マニュアル関連ブレーキ系統の液圧より設定圧以上大きくなった場合に、前記動力式液圧発生装置から前記マニュアル関連ブレーキ系統への作動液の流れを許容するリリーフ弁と、
前記ブレーキ液圧制御装置の異常時に、前記動力式液圧発生装置の液圧を前記マニュアル関連ブレーキ系統に供給して、前記ブレーキ操作部材の操作力が同じ場合に、前記ブレーキシリンダの液圧を増加させる異常時増圧機構と
を含むことを特徴とする液圧ブレーキシステム。
本項に記載の液圧ブレーキシステムには、(1)項ないし(32)項のいずれかに記載の技術的特徴を採用することができる。
（３４）運転者のブレーキ操作部材の操作により液圧を発生させるマニュアル式液圧源と、
電気エネルギの供給により作動させられ、液圧を発生させる動力式液圧源を備えた動力式液圧発生装置と、
車両の複数の車輪の各々に対応して設けられ、それぞれ、ブレーキシリンダの液圧により作動させられ、その車輪の回転を抑制する複数の液圧ブレーキと
を含む液圧ブレーキシステムであって、
前記動力式液圧発生装置と前記マニュアル式液圧源との間に設けられ、前記動力式液圧発生装置の液圧が前記マニュアル式液圧源の液圧より設定圧以上大きい場合に、前記動力式液圧発生装置から前記マニュアル式液圧源への作動液の流れを許容するリリーフ弁と、
当該液圧ブレーキシステムが正常である場合に、前記動力式液圧発生装置の出力液圧を制御して、前記リリーフ弁をバイパスして、前記複数のブレーキシリンダに供給する正常時液圧供給部と、
当該液圧ブレーキシステムの制御系の異常時に、前記動力式液圧源を作動させて、前記動力式液圧発生装置の出力液圧を、前記リリーフ弁を経て、前記マニュアル式液圧源に供給する異常時液圧供給部と
を含むことを特徴とする液圧ブレーキシステム。
正常時制御部は、動力式液圧源を制御するものとしたり、動力式液圧源の出力側に設けられた出力液圧制御弁を制御するものとしたりすることができる。正常時制御部が、前者の動力式液圧源を制御するものである場合には、実際のブレーキシリンダの液圧が要求液圧に近づくように、動力式液圧源を制御する。
それに対して、異常時制御部は、動力式液圧源を、例えば、異常時制御パターンに従って制御するものとすることができる。要求液圧が満たされるように制御するのではなく、マニュアル式液圧源に供給される作動液の流量がほぼ設定量に保たれるように制御すること等ができる。
動力式液圧発生装置は、アキュムレータを含むものとすることができる等、本項に記載の液圧ブレーキシステムには、(1)項ないし(33)項のいずれかに記載の技術的特徴を採用することができる。
（３５）運転者のブレーキ操作部材の操作により液圧を発生させるマニュアル式液圧源と、
駆動源への電気エネルギの供給により作動させられ、液圧を発生させる動力式液圧源と、
車両の複数の車輪の各々に対応して設けられ、それぞれ、ブレーキシリンダの液圧により作動させられ、その車輪の回転を抑制する複数の液圧ブレーキと、
前記複数のブレーキシリンダが、それぞれ、個別通路を介して接続された共通通路と、
それら複数の個別通路のうちの１つと前記マニュアル式液圧源とを接続する個別接続通路と、
前記動力式液圧源と前記共通通路との間に互いに並列に設けられた、(i)ソレノイドへの供給電流量の連続的な制御により、前記共通通路の液圧の大きさを連続的に制御可能なリニア制御弁と、(ii)ソレノイドへの供給電流のＯＮ・ＯＦＦ制御により開状態と閉状態とに切り換え可能な電磁開閉弁と
を含むことを特徴とする液圧ブレーキシステム。
（３６）前記マニュアル式液圧源が、２つの加圧ピストンを備え、前記ブレーキ操作部材の操作により２つの加圧室にそれぞれ液圧を発生させるタンデム式のマスタシリンダの加圧室の各々とされ、前記ブレーキ操作部材に加えられる操作力と前記２つの加圧室の各々の液圧との間に、ヒステリシスを有する関係が成立する(1)項ないし(35)項のいずれか１つに記載の液圧ブレーキシステム。
【国際調査報告】
2011108090.tif 000022
2011108090.tif 000023
2011108090.tif 000024